(57)【特許請求の範囲】
【請求項１】
無線通信システムにおいてユーザ機器（ＵＥ）がビーム失敗回復過程を実行する方法であって、
前記ユーザ機器が、ビーム失敗回復に対する任意接続リソースに関する第１設定情報を基地局（ＢＳ）から受信するステップと、
前記ユーザ機器が、下りリンクビーム失敗を検出するステップと、
前記ユーザ機器が、前記下りリンクビーム失敗の検出に基づいて、及び前記第１設定情報に基づいて、前記任意接続リソース上で前記ビーム失敗回復に対する競争フリー任意接続過程を行うステップと、を含み、
前記第１設定情報は、前記ビーム失敗回復に対する試行の最大回数に関する情報を含み、前記方法は、
前記ビーム失敗回復に関連する前記競争フリー任意接続過程に対する試行の回数が前記最大回数に達しているか否かを決定するステップと、
前記ビーム失敗回復に関連する前記競争フリー任意接続過程に対する試行の回数が前記最大回数に達していることに基づいて、セルへの接続を実行するための競争基盤任意接続過程を行うステップと、をさらに含む、方法。
【請求項２】
前記任意接続リソースは、下りリンクビームのうち、前記ユーザ機器により測定された最適の下りリンクビームに対応する、請求項１に記載の方法。
【請求項３】
前記第１設定情報は、複数の同期信号ブロックに対する各々の任意接続リソースに関する情報を含み、
前記任意接続リソースは、前記複数の同期信号ブロックに対する前記各々の任意接続リソースのうちの１つである、請求項１に記載の方法。
【請求項４】
前記複数の同期信号ブロックに対する測定を行うステップをさらに含み、
前記任意接続リソースは、前記複数の同期信号ブロックのうち、最大の受信電力を有する同期信号ブロックに対応する、請求項３に記載の方法。
【請求項５】
下りリンクビームごとの測定参照信号を測定するためのビーム測定を行うステップと、
前記基地局から受信された上りリンクグラントを用いて下りリンクビーム測定の結果を報告するためのビーム測定報告を送信するステップと、をさらに含む、請求項１に記載の方法。
【請求項６】
下りリンクビームごとの前記測定参照信号は、下りリンクビームごとの同期信号又は下りリンクビームごとのチャネル状態測定参照信号である、請求項５に記載の方法。
【請求項７】
無線通信システムにおいてビーム失敗回復過程を実行するユーザ機器（ＵＥ）であって、
無線周波数(ＲＦ)送受信器と、
プロセッサと、
少なくとも１つのプログラムを格納するコンピュータメモリと、を含み、
前記少なくとも１つのプログラムは、実行時に、前記プロセッサに、
前記ＲＦ送受信器を通して、ビーム失敗回復に対する任意接続リソースに関する第１設定情報を基地局（ＢＳ）から受信し、
下りリンクビーム失敗を検出し、
前記下りリンクビーム失敗の検出に基づいて、及び前記第１設定情報に基づいて、前記任意接続リソース上で前記ビーム失敗回復に対する競争フリー任意接続過程を行うことを含む動作を実行させ、
前記第１設定情報は、前記ビーム失敗回復に対する試行の最大回数に関する情報を含み、前記動作は、
前記ビーム失敗回復に関連する前記競争フリー任意接続過程に対する試行の回数が前記最大回数に達しているか否かを決定し、
前記ビーム失敗回復に関連する前記競争フリー任意接続過程に対する試行の回数が前記最大回数に達していることに基づいて、セルへの接続を実行するための競争基盤任意接続過程を実行することをさらに含む、ユーザ機器。
【請求項８】
前記ユーザ機器が、前記セルへの初期接続に対する任意接続リソースに関する第２設定情報を受信するステップをさらに含み、
前記第１設定情報は、前記第２設定情報と区別される、請求項１に記載の方法。
【請求項９】
前記任意接続リソースは、下りリンクビームのうち、前記ユーザ機器により測定される最適な下りリンクビームに相当する、請求項７に記載のユーザ機器。
【請求項１０】
前記第１設定情報は、複数の同期信号ブロックに対する各々の任意接続リソースに関する情報を含み、
前記任意接続リソースは、前記複数の同期信号ブロックに対する前記各々の任意接続リソースのうちの１つである、請求項７に記載のユーザ機器。
【請求項１１】
前記プロセッサは、前記複数の同期信号ブロックに対する測定を行うようさらに構成され、
前記任意接続リソースは、前記複数の同期信号ブロックのうち、最大の受信電力を有する同期信号ブロックに対応する、請求項１０に記載のユーザ機器。
【請求項１２】
前記プロセッサは、
下りリンクビームごとの測定参照信号を測定するためのビーム測定を行い、
前記基地局から受信された上りリンクグラントを用いて下りリンクビーム測定の結果を報告するためのビーム測定報告を前記ＲＦ送受信器を通して送信するようさらに構成される、請求項７に記載のユーザ機器。
【請求項１３】
下りリンクビームごとの前記測定参照信号は、下りリンクビームごとの同期信号又は下りリンクビームごとのチャネル状態測定参照信号である、請求項１２に記載のユーザ機器。
【請求項１４】
前記動作は、前記セルへの初期接続に対する任意接続リソースに関する第２設定情報を前記ＲＦ送受信器を通して受信することをさらに含み、
前記第１設定情報は、前記第２設定情報と区別される、請求項７に記載のユーザ機器。
【発明の詳細な説明】
【技術分野】
【０００１】
本発明は無線通信システムに関し、特に、ビーム回復過程を行う／支援する方法及び装置に関する。
【背景技術】
【０００２】
器機間(Ｍａｃｈｉｎｅ−ｔｏ−Ｍａｃｈｉｎｅ、Ｍ２Ｍ)通信と、高いデータ送信量を要求するスマートフォン、タブレットＰＣなどの様々な装置及び技術が出現及び普及されている。これに伴い、セルラー網(ｃｅｌｌｕｌａｒ ｎｅｔｗｏｒｋ)で処理されることが要求されるデータ量も急増している。このように急増しているデータ処理要求量を満たすために、より多くの周波数帯域を効率的に用いるための搬送波集約(ｃａｒｒｉｅｒ ａｇｇｒｅｇａｔｉｏｎ)技術、認知無線(ｃｏｇｎｉｔｉｖｅ ｒａｄｉｏ)技術などと、限られた周波数内で送信されるデータ容量を高めるための多重アンテナ技術、多重基地局協調技術などが発展している。
【０００３】
一般の無線通信システムは、１つの下りリンク(ｄｏｗｎｌｉｎｋ、ＤＬ)帯域とこれに対応する１つの上りリンク(ｕｐｌｉｎｋ、ＵＬ)帯域でデータ送／受信を行ったり(周波数分割デュプレックス(ｆｒｅｑｕｅｎｃｙ ｄｉｖｉｓｉｏｎ ｄｕｐｌｅｘ、ＦＤＤ)モードの場合)、所定の無線フレーム(Ｒａｄｉｏ Ｆｒａｍｅ)を時間ドメイン(ｔｉｍｅ ｄｏｍａｉｎ)で上りリンク時間ユニットと下りリンク時間ユニットとに区分し、上りリンク／下りリンク時間ユニットでデータ送／受信を行う(時分割デュプレックス(ｔｉｍｅ ｄｉｖｉｓｉｏｎ ｄｕｐｌｅｘ、ＴＤＤ)モードの場合)。基地局(ｂａｓｅ ｓｔａｔｉｏｎ、ＢＳ)とユーザ器機(ｕｓｅｒ ｅｑｕｉｐｍｅｎｔ、ＵＥ)は、所定の時間ユニット(ｕｎｉｔ)、例えば、サブフレーム(ｓｕｂｆｒａｍｅ、ＳＦ)内で、スケジュールされたデータ及び／又は制御情報を送受信する。データは、上りリンク／下りリンクサブフレームに設定されたデータ領域を通じて送受信され、制御情報は、上りリンク／下りリンクサブフレームに設定された制御領域を通じて送受信される。そのために、無線信号を搬送する様々な物理チャネルが上りリンク／下りリンクサブフレームに設定される。これに対し、搬送波集約技術は、より広い周波数帯域を用いるために複数の上りリンク／下りリンク周波数ブロックを集めてより大きい上りリンク／下りリンク帯域幅を用いることによって、単一搬送波が用いられる場合に比べて多量の信号を同時に処理することができる。
【０００４】
一方、ＵＥが周辺で接続(ａｃｃｅｓｓ)し得るノード(ｎｏｄｅ)の密度が高くなる方向に通信環境が進化している。ノードとは、１つ以上のアンテナを有し、ＵＥと無線信号を送信／受信できる固定した地点(ｐｏｉｎｔ)のことを指す。高い密度のノードを備えた通信システムは、ノード間の協調によってより高い性能の通信サービスをＵＥに提供することができる。
【０００５】
さらに多い通信装置がより大きな通信容量を要求することにより、レガシー無線接続技術(ｒａｄｉｏ ａｃｃｅｓｓ ｔｅｃｈｎｏｌｏｇｙ、ＲＡＴ)に比べて向上したモバイル広帯域(ｅｎｈａｎｃｅｄ ｍｏｂｉｌｅ ｂｒｏａｄｂａｎｄ、ｅＭＢＢ)通信の必要性が高まっている。また、多数の器機及びモノ(ｏｂｊｅｃｔ)を連結していつでもどこでも多様なサービスを提供する大規模機械タイプ通信(ｍａｓｓｉｖｅ ｍａｃｈｉｎｅ ｙｙｐｅ ｃｏｍｍｕｎｉｃａｔｉｏｎｓ、ｍＭＴＣ)が次世代通信の主要争点の1つになっている。
【０００６】
さらに信頼性及び待機時間などに敏感なサービス／ＵＥを考慮して設計される通信システムも考えられている。次世代無線接続技術の導入は、ｅＭＢＢ通信、ｍＭＴＣ、超信頼性及び低待機時間通信(ｕｌｔｒａ−ｒｅｌｉａｂｌｅ ａｎｄ ｌｏｗ ｌａｔｅｎｃｙ ｃｏｍｍｕｎｉｃａｔｉｏｎ、ＵＲＬＬＣ)などを考慮して論議されている。
【発明の概要】
【発明が解決しようとする課題】
【０００７】
新しい無線通信技術の導入から、基地局が所定リソース領域でサービスを提供すべきＵＥの個数が増加するだけでなく、上記基地局がサービスを提供するＵＥと送受信するデータと制御情報の量も増加している。基地局がＵＥとの通信に利用可能な無線リソースの量は有限であるため、基地局が有限の無線リソースを用いて上りリンク／下りリンクデータ及び／又は上りリンク／下りリンク制御情報をＵＥから／に効率的に受信／送信するための新しい方案が要求される。
【０００８】
また技術の発達に伴い、遅れ(ｄｅｌａｙ)或いは遅延(ｌａｔｅｎｃｙ)の克服が重要な問題となっている。遅れ／遅延により性能が大きく左右されるアプリケーションが増加している。従って、既存のシステムに比べて遅れ／遅延を減少させる方案が求められている。
【０００９】
またスマート器機の発達に伴い、少量のデータを効率的に送受信し、また低い頻度で発生するデータを効率的に送受信するための新しい方案が求められている。
【００１０】
さらに高周波帯域を用いて新しい無線接続技術を支援するシステムにおいて信号を送受信する方法が求められている。
【００１１】
本発明で遂げようとする技術的課題は、以上で言及した事項に限定されず、言及していない他の技術的課題は、以下の本発明の詳細な説明から、本発明の属する技術の分野における通常の知識を有する者によって明確に理解されるであろう。
【課題を解決するための手段】
【００１２】
本発明の一態様として、無線通信システムにおいてユーザ機器がビーム回復過程を行う方法を提供する。この方法は、ユーザ機器が不連続受信(ｄｉｓｃｏｎｔｉｎｕｏｕｓ ｒｅｃｅｐｔｉｏｎ、ＤＲＸ)モードにある間にユーザ機器に上りリンクデータが発生するか、又は基地局からユーザ機器に関するページング情報を受信、下りリンクビームのうちの１つに対応するスケジューリング要請チャネルリソースによりスケジューリング要請チャネルを送信、スケジューリング要請チャネルに対する応答として上りリンクグラントを受信することを含む。
【００１３】
本発明の他の態様として、無線通信システムにおいて基地局がビーム回復過程を支援する方法が提供される。この方法は、ユーザ機器が不連続受信(ｄｉｓｃｏｎｔｉｎｕｏｕｓ ｒｅｃｅｐｔｉｏｎ、ＤＲＸ)モードにある間にユーザ機器から下りリンクビームのうちの１つに対応するスケジューリング要請チャネルリソースによりスケジューリング要請チャネルを受信、及びスケジューリング要請チャネルに対する応答として上りリンクグラントを送信することを含む。
【００１４】
無線通信システムにおいてビーム回復過程を行うユーザ機器が提供される。ユーザ機器は、無線周波数(ｒａｄｉｏ ｆｒｅｑｕｅｎｃｙ、ＲＦ)ユニット、及び該ＲＦユニットを制御するように構成されたプロセッサからなる。該プロセッサは、ユーザ機器が不連続受信(ｄｉｓｃｏｎｔｉｎｕｏｕｓ ｒｅｃｅｐｔｉｏｎ、ＤＲＸ)モードにある間にユーザ機器に上りリンクデータが発生するか、又は基地局からユーザ機器に関するページング情報を受信するようにＲＦユニットを制御、下りリンクビームのうちの１つに対応するスケジューリング要請チャネルリソースによりスケジューリング要請チャネルを送信するようにＲＦユニットを制御、スケジューリング要請チャネルに対する応答として上りリンクグラントを受信するようにＲＦユニットを制御する。
【００１５】
本発明のさらに他の態様として、無線通信システムにおいてビーム回復過程を支援する基地局が提供される。基地局は無線周波数(ｒａｄｉｏ ｆｒｅｑｕｅｎｃｙ、ＲＦ)ユニット、及び該ＲＦユニットを制御するように構成されたプロセッサからなる。該プロセッサは、ユーザ機器が不連続受信(ｄｉｓｃｏｎｔｉｎｕｏｕｓ ｒｅｃｅｐｔｉｏｎ、ＤＲＸ)モードにある間にユーザ機器から下りリンクビームのうちの１つに対応するスケジューリング要請チャネルリソースによりスケジューリング要請チャネルを受信するようにＲＦユニットを制御、及びスケジューリング要請チャネルに対する応答として上りリンクグラントを送信するようにＲＦユニットを制御する。
【００１６】
本発明の各態様において、スケジューリング要請チャネルリソースは、下りリンクビームのうち、ユーザ機器で測定された最適の下りリンクビームに対応する。
【００１７】
本発明の各態様において、複数の同期信号ブロックの各々に対するスケジューリング要請チャネルリソースを示す情報が基地局によりユーザ機器に提供される。
【００１８】
本発明の各態様において、ユーザ機器は複数の同期信号ブロックに対する測定を行うことができる。スケジューリング要請チャネルリソースは、複数の同期信号ブロックのうち、受信電力が最も大きい同期信号ブロックに対応する。
【００１９】
本発明の各態様において、ユーザ機器はビームごとの測定参照信号を測定するビーム測定を行うことができる。
【００２０】
本発明の各態様において、上りリンクグラントによりビーム測定結果を報告するビーム測定報告がユーザ機器により基地局に送信される。
【００２１】
本発明の各態様において、ビームごとの測定参照信号はビームごとの同期信号又はビームごとのチャネル状態測定参照信号である。
【００２２】
上記の課題解決方法は、本発明の実施例の一部に過ぎず、本願発明の技術的特徴が反映された様々な実施例が、当該技術の分野における通常の知識を有する者によって、以下に説明する本発明の詳細な説明から導出されて理解されるであろう。
【発明の効果】
【００２３】
本発明の一実施例によれば、無線通信信号を効率的に送受信することができる。これにより、無線通信システムの全体処理量(ｔｈｒｏｕｇｈｐｕｔ)が向上する。
【００２４】
本発明の一実施例によれば、使用者器機と基地局の通信過程で発生する遅れ／遅延が減少する。
【００２５】
またスマート器機の発達に伴って少量のデータを効率的に送受信、また低い頻度で発生するデータを効率的に送受信することができる。
【００２６】
また新しい無線接続技術を支援するシステムにおいて信号を送受信することができる。
【００２７】
本発明で得られる効果は、以上で言及した効果に制限されず、言及していない他の効果は、以下の発明の詳細な説明から、本発明の属する技術の分野における通常の知識を有する者によって明確に理解されるであろう。
【図面の簡単な説明】
【００２８】
本発明に関する理解を助けるために詳細な説明の一部として含まれる添付の図面は、本発明の実施例を提供し、詳細な説明と共に本発明の技術的思想を説明する。
【００２９】
【図１】ＬＴＥ／ＬＴＥ−Ａシステムにおける任意接続過程を示す概略図である。
【図２】既存のＬＴＥ／ＬＴＥ−Ａシステムにおいて任意接続プリアンブルのフォーマットを例示する図である。
【図３】不連続受信(ｄｉｓｃｏｎｔｉｎｕｏｕｓ ｒｅｃｅｐｔｉｏｎ、ＤＲＸ)の概念を示す図である。
【図４】新しい無線接続技術(ｎｅｗ ｒａｄｉｏ ａｃｃｅｓｓ ｔｅｃｈｎｏｌｏｇｙ、ＮＲ)において利用可能なスロット構造を例示する図である。
【図５】送受信器ユニット(ｔｒａｎｓｃｅｉｖｅｒ ｕｎｉｔ、ＴＸＲＵ)及び物理的アンテナ観点でハイブリッドビーム形成構造を抽象的に示す図である。
【図６】新しい無線接続技術(ｎｅｗ ｒａｄｉｏ ａｃｃｅｓｓ ｔｅｃｈｎｏｌｏｇｙ、ＮＲ)システムのセルを例示する図である。
【図７】同期信号(ｓｙｎｃｈｒｏｎｉｚａｔｉｏｎ ｓｉｇｎａｌ、ＳＳ)ブロック送信及びＳＳブロックにリンクされたＲＡＣＨリソースを例示する図である。
【図８】ＵＥ状態の遷移を例示する図である。ＵＥは１回に１つのＲＲＣ状態のみを有する。
【図９】本発明によるビーム回復過程を概略的に示す図である。
【図１０】本発明を行う送信装置１０及び受信装置２０の構成要素を示すブロック図である。
【発明を実施するための形態】
【００３０】
以下、本発明に係る好適な実施の形態を、添付図面を参照して詳しく説明する。添付図面と共に以下に開示される詳細な説明は、本発明の例示的な実施形態を説明するためのものであり、本発明が実施し得る唯一の実施形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００３１】
場合によって、本発明の概念が曖昧になることを避けるために、公知の構造及び装置を省略したり、各構造及び装置の核心機能を中心にしたブロック図の形式で示すことができる。また、この明細書全体を通じて同一の構成要素については同一の図面符号を付して説明する。
【００３２】
以下に説明する技法(ｔｅｃｈｎｉｑｕｅ)及び装置、システムは、様々な無線多重接続システムに適用することができる。多重接続システムの例には、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システム、ＭＣ−ＦＤＭＡ(ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)又はＣＤＭＡ２０００のような無線技術(ｔｅｃｈｎｏｌｏｇｙ)によって具現することができる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎ)、ＧＰＲＳ(Ｇｅｎｅｒａｌ Ｐａｃｋｅｔ Ｒａｄｉｏ Ｓｅｒｖｉｃｅ)、ＥＤＧＥ(Ｅｎｈａｎｃｅｄ Ｄａｔａ Ｒａｔｅｓ ｆｏｒ ＧＳＭ Ｅｖｏｌｕｔｉｏｎ)(ｉ．ｅ．，ＧＥＲＡＮ)などのような無線技術によって具現することができる。ＯＦＤＭＡは、ＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２．１１(Ｗｉ−Ｆｉ)、ＩＥＥＥ８０２．１６(ＷｉＭＡＸ)、ＩＥＥＥ８０２−２０、Ｅ−ＵＴＲＡ(ｅｖｏｌｖｅｄ−ＵＴＲＡ)などのような無線技術によって具現することができる。ＵＴＲＡは、ＵＭＴＳ(Ｕｎｉｖｅｒｓａｌ Ｍｏｂｉｌｅ Ｔｅｌｅｃｏｍｍｕｎｉｃａｔｉｏｎ Ｓｙｓｔｅｍ)の一部であり、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ Ｔｅｒｍ Ｅｖｏｌｕｔｉｏｎ)は、Ｅ−ＵＴＲＡを用いるＥ−ＵＭＴＳの一部である。３ＧＰＰ ＬＴＥは、下りリンク(ｄｏｗｎｌｉｎｋ、ＤＬ)ではＯＦＤＭＡを採択し、上りリンク(ｕｐｌｉｎｋ、ＵＬ)ではＳＣ−ＦＤＭＡを採択している。ＬＴＥ−Ａ(ＬＴＥ−ａｄｖａｎｃｅｄ)は、３ＧＰＰ ＬＴＥの進化した形態である。説明の便宜のために、以下では、本発明が３ＧＰＰ基盤通信システム、例えば、ＬＴＥ／ＬＴＥ−Ａ、ＮＲに適用される場合を仮定して説明する。しかし、本発明の技術的特徴がこれに制限されるものではない。例えば、以下の詳細な説明が、移動通信システムが３ＧＰＰ ＬＴＥ／ＬＴＥ−Ａ／ＮＲシステムに対応する移動通信システムに基づいて説明されても、３ＧＰＰ ＬＴＥ／ＬＴＥ−Ａ／ＮＲ特有の事項以外は、他の任意の移動通信システムにも適用可能である。
【００３３】
例えば、本発明は、３ＧＰＰ ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース(ｎｏｎ−ｃｏｎｔｅｎｔｉｏｎ ｂａｓｅｄ)通信だけでなく、Ｗｉ−Ｆｉのような競合ベース(ｃｏｎｔｅｎｔｉｏｎ ｂａｓｅｄ)通信にも適用することができる。非−競合ベース通信技法は、接続ポイント(ａｃｃｅｓｓ ｐｏｉｎｔ、ＡＰ)或いは上記接続ポイントを制御する制御ノード(ｎｏｄｅ)が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続(ｃａｒｒｉｅｒ ｓｅｎｓｅ ｍｕｌｔｉｐｌｅ ａｃｃｅｓｓ、ＣＳＭＡ)がある。ＣＳＭＡとは、ノード或いは通信器機が周波数帯域(ｂａｎｄ)のような、共有送信媒体(ｓｈａｒｅｄ ｔｒａｎｓｍｉｓｓｉｏｎ ｍｅｄｉｕｍ)(共有チャネルともいう。)上でトラフィック(ｔｒａｆｆｉｃ)を送信する前に、同一の共有送信媒体上に他のトラフィックがないことを確認する確率的(ｐｒｏｂａｂｉｌｉｓｔｉｃ)媒体接続制御(ｍｅｄｉａ ａｃｃｅｓｓ ｃｏｎｔｒｏｌ、ＭＡＣ)プロトコル(ｐｒｏｔｏｃｏｌ)を指す。ＣＳＭＡにおいて送信装置は受信装置にトラフィックを送信することを試みる前に、他の送信が進行中であるか否か決定する。換言すれば、送信装置は、送信を試みる前に、他の送信装置からの搬送波(ｃａｒｒｉｅｒ)の存在を検出(ｄｅｔｅｃｔ)することを試みる。搬送波が感知されると、送信装置は、自身の送信を開始する前に、進行中の他の送信装置によって送信が完了(ｆｉｎｉｓｈ)することを待つ。結局、ＣＳＭＡは、“ｓｅｎｓｅ ｂｅｆｏｒｅ ｔｒａｎｓｍｉｔ”或いは“ｌｉｓｔｅｎ ｂｅｆｏｒｅ ｔａｌｋ”の原理に基づいてした通信技法といえる。ＣＳＭＡを用いる競合ベース通信システムにおいて送信装置間の衝突を回避するための技法としてＣＳＭＡ／ＣＤ(Ｃａｒｒｉｅｒ Ｓｅｎｓｅ Ｍｕｌｔｉｐｌｅ Ａｃｃｅｓｓ ｗｉｔｈ Ｃｏｌｌｉｓｉｏｎ Ｄｅｔｅｃｔｉｏｎ)及び／又はＣＳＭＡ／ＣＡ(Ｃａｒｒｉｅｒ Ｓｅｎｓｅ Ｍｕｌｔｉｐｌｅ Ａｃｃｅｓｓ ｗｉｔｈ Ｃｏｌｌｉｓｉｏｎ Ａｖｏｉｄａｎｃｅ)が用いられる。ＣＳＭＡ／ＣＤは、有線ＬＡＮ環境での衝突検出技法であり、イーサネット(ｅｔｈｅｒｎｅｔ)環境で通信をしようとするＰＣ(Ｐｅｒｓｏｎａｌ Ｃｏｍｐｕｔｅｒ)やサーバー(ｓｅｒｖｅｒ)がまず、ネットワーク上で通信が行われているか確認した後、他の装置(ｄｅｖｉｃｅ)がデータを上記ネットワーク上で載せて送っていると、待ってからデータを送る。すなわち、２人以上のユーザ(例、ＰＣ、ＵＥなど)が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデータ送信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定(ｒｅｃｏｎｆｉｇｕｒａｔｉｏｎ)するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００３４】
後述する本発明の実施例において、装置が“仮定する”という表現は、チャネルを送信する主体が該当の“仮定”に符合するようにチャネルを送信することを意味する。チャネルを受信する主体は、チャネルが該当“仮定”に符合するように送信されたという前提の下に、該当“仮定”に符合する形態でチャネルを受信或いは復号(ｄｅｃｏｄｅ)するものであることを意味する。
【００３５】
本発明において、特定のリソースで物理チャネルがパンクチャリングされるとは、物理チャネルのリソースマッピング過程で物理チャネルの信号が特定のリソースにマッピングされるものの、物理チャネルの送信時にパンクチャリングされるリソースにマッピングされた信号部分は除外されたまま送信されることを意味する。言い換えれば、パンクチャリングされる特定のリソースは、該当物理チャネルのリソースマッピング過程で該当物理チャネルのリソースとしてカウントされるものの、該当物理チャネルの信号のうち、特定のリソースにマッピングされた信号は実際には送信されない。該当物理チャネルの受信装置はパンクチャリングされた特定のリソースにマッピングされた信号部分は送信されなかったと仮定し、該当物理チャネルを受信、復調或いは復号する。反面、特定のリソースで物理チャネルがレートマッチングされるとは、物理チャネルのリソースマッピング過程で物理チャネルが特定のリソースに全くマッピングされないことにより、物理チャネルの送信に使用されないことを意味する。言い換えれば、レートマッチングされる特定のリソースは、該当物理チャネルのリソースマッピング過程で該当物理チャネルのリソースとして全くカウントされない。該当物理チャネルの受信装置はレートマッチングされた特定のリソースが該当物理チャネルのマッピング及び送信に全然使用されなかったと仮定して、該当物理チャネルを受信、復調又は復号する。
【００３６】
本発明において、ＵＥは、固定していても移動性を有してもよく、基地局(ｂａｓｅ ｓｔａｔｉｏｎ、ＢＳ)と通信してユーザデータ及び／又は各種制御情報を送受信する各種器機がこれに属する。ＵＥは、端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線器機(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯器機(ｈａｎｄｈｅｌｄ ｄｅｖｉｃｅ)などと呼ぶこともできる。また、本発明において、ＢＳは、一般に、ＵＥ及び／又は他のＢＳと通信する固定局(ｆｉｘｅｄ ｓｔａｔｉｏｎ)のことをいい、ＵＥ及び他のＢＳと通信して各種データ及び制御情報を交換する。ＢＳは、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、接続ポイント(Ａｃｃｅｓｓ Ｐｏｉｎｔ)、ＰＳ(Ｐｒｏｃｅｓｓｉｎｇ Ｓｅｒｖｅｒ)などの他の用語と呼ぶこともできる。特に、ＵＴＲＡＮの基地局はＮｏｄｅ−Ｂに、Ｅ−ＵＴＲＡＮの基地局はｅＮＢに、また新しい無線接続技術ネットワーク(ｎｅｗ ｒａｄｉｏ ａｃｃｅｓｓ ｔｅｃｈｎｏｌｏｇｙ ｎｅｔｗｏｒｋ)の基地局はｇＮＢとも呼ばれる。以下、説明の便宜のために、ＢＳをｇＮＢと呼ぶ。
【００３７】
本発明でいうノード(ｎｏｄｅ)とは、ＵＥと通信して無線信号を送信／受信し得る固定した地点(ｐｏｉｎｔ)のことを指す。様々な形態のｇＮＢを、その名称に関係なくノードとして用いることができる。例えば、ＢＳ、ＮＢ、ｅＮＢ、ピコセルｅＮＢ(ＰｅＮＢ)、ホームｅＮＢ(ＨｅＮＢ)、ｇＮＢ、リレー、リピータなどをノードとすることができる。また、ノードは、ｇＮＢでなくてもよい。例えば、無線リモートヘッド(ｒａｄｉｏ ｒｅｍｏｔｅ ｈｅａｄ、ＲＲＨ)、無線リモートユニット(ｒａｄｉｏ ｒｅｍｏｔｅ ｕｎｉｔ、ＲＲＵ)とすることもできる。ＲＲＨ、ＲＲＵなどは、一般にｇＮＢの電力レベル(ｐｏｗｅｒ ｌｅｖｅｌ)よりも低い電力レベルを有する。ＲＲＨ或いはＲＲＵ(以下、ＲＲＨ／ＲＲＵ)は、一般に、光ケーブルなどの専用回線(ｄｅｄｉｃａｔｅｄ ｌｉｎｅ)でｇＮＢに接続されているため、一般に、無線回線で接続されたｇＮＢによる協調通信に比べて、ＲＲＨ／ＲＲＵとｇＮＢによる協調通信を円滑に行うことができる。１つのノードには少なくとも１つのアンテナが設置される。このアンテナは物理アンテナを意味することもでき、アンテナポート、仮想アンテナ、又はアンテナグループを意味することもできる。ノードはポイント(ｐｏｉｎｔ)とも呼ばれる。
【００３８】
本発明でいうセル(ｃｅｌｌ)とは、１つ以上のノードが通信サービスを提供する一定の地理的領域を指す。従って、本発明で特定セルと通信するということは、上記特定セルに通信サービスを提供するｇＮＢ或いはノードと通信するということを意味できる。また、特定セルの下りリンク／上りリンク信号は、上記特定セルに通信サービスを提供するｇＮＢ或いはノードからの／への下りリンク／上りリンク信号を意味する。ＵＥに上りリンク／下りリンク通信サービスを提供するセルを特にサービングセル(ｓｅｒｖｉｎｇ ｃｅｌｌ)という。また、特定セルのチャネル状態／品質は、上記特定セルに通信サービスを提供するｇＮＢ或いはノードとＵＥ間に形成されたチャネル或いは通信リンクのチャネル状態／品質を意味する。３ＧＰＰ基盤通信システムにおいて、ＵＥは、特定ノードからの下りリンクチャネル状態を、上記特定ノードのアンテナポートが上記特定ノードに割り当てられたＣＲＳ(Ｃｅｌｌ−ｓｐｅｃｉｆｉｃ Ｒｅｆｅｒｅｎｃｅ Ｓｉｇｎａｌ)リソース上で送信されるＣＲＳ及び／又はＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)リソース上で送信するＣＳＩ−ＲＳを用いて測定することができる。
【００３９】
一方、３ＧＰＰ基盤通信システムは、無線リソースを管理するためにセルの概念を用いているが、無線リソースと関連付くセルは、地理的領域のセルと区別される。
【００４０】
地理的領域の“セル”は、ノードが搬送波を用いてサービスを提供できるカバレッジ(ｃｏｖｅｒａｇｅ)と理解することができ、無線リソースの“セル”は、上記搬送波によって設定(ｃｏｎｆｉｇｕｒｅ)される周波数範囲である帯域幅(ｂａｎｄｗｉｄｔｈ、ＢＷ)に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。従って、“セル”という用語は、時にはノードによるサービスのカバレッジを、時には無線リソースを、時には上記無線リソースを用いた信号が有効な強度で到達できる範囲を意味することに用いることができる。
【００４１】
一方、３ＧＰＰ通信標準は無線リソースを管理するためにセルの概念を使う。無線リソースに関連した“セル”とは下りリンクリソース(ＤＬ ｒｅｓｏｕｒｃｅｓ)と上りリンクリソース(ＵＬ ｒｅｓｏｕｒｃｅｓ)の組合せ、つまりＤＬコンポーネント搬送波(ｃｏｍｐｏｎｅｎｔ ｃａｒｒｉｅｒ、ＣＣ)とＵＬ ＣＣの組合せと定義される。セルはＤＬリソース単独、又はＤＬリソースとＵＬリソースの組合せに設定されることができる。搬送波集成が支援される場合、ＤＬリソース(又は、ＤＬ ＣＣ)の搬送波周波数とＵＬリソース(又は、ＵＬ ＣＣ)の搬送波周波数の間のリンケージ(ｌｉｎｋａｇｅ)は、システム情報によって指示されることができる。例えば、システム情報ブロックタイプ２(Ｓｙｓｔｅｍ Ｉｎｆｏｒｍａｔｉｏｎ Ｂｌｏｃｋ Ｔｙｐｅ２、ＳＩＢ２)リンケージ(ｌｉｎｋａｇｅ)によってＤＬリソースとＵＬリソースの組合せが指示されることができる。ここで、搬送波周波数とは、各セル又はＣＣの中心周波数と同じであることができる。以下では、１次周波数(ｐｒｉｍａｒｙ ｆｒｅｑｕｅｎｃｙ)上で動作するセルを１次セル(ｐｒｉｍａｒｙ ｃｅｌｌ、Ｐｃｅｌｌ)又はＰＣＣと言い、２次周波数(Ｓｅｃｏｎｄａｒｙ ｆｒｅｑｕｅｎｃｙ)(又はＳＣＣ)上で動作するセルを２次セル(ｓｅｃｏｎｄａｒｙ ｃｅｌｌ、Ｓｃｅｌｌ)又はＳＣＣと言う。下りリンクでＰｃｅｌｌに対応する搬送波は下りリンク１次ＣＣ(ＤＬ ＰＣＣ)と言い、上りリンクでＰｃｅｌｌに対応する搬送波はＵＬ１次ＣＣ(ＤＬ ＰＣＣ)と言う。ＳｃｅｌｌとはＲＲＣ(Ｒａｄｉｏ Ｒｅｓｏｕｒｃｅ Ｃｏｎｔｒｏｌ)連結開設(ｃｏｎｎｅｃｔｉｏｎ ｅｓｔａｂｌｉｓｈｍｅｎｔ)がなされた後に設定可能であり、追加的な無線リソースを提供するために使われることができるセルを意味する。ＵＥの性能(ｃａｐａｂｉｌｉｔｉｅｓ)によって、ＳｃｅｌｌがＰｃｅｌｌと一緒に、前記ＵＥのためのサービングセルの集団を形成することができる。下りリンクでＳｃｅｌｌに対応する搬送波はＤＬ２次ＣＣ(ＤＬ ＳＣＣ)と言い、上りリンクで前記Ｓｃｅｌｌに対応する搬送波はＵＬ２次ＣＣ(ＵＬＳＣＣ)と言う。ＲＲＣ＿ＣＯＮＮＥＣＴＥＤ状態にあるが、搬送波集成が設定されていないか搬送波集成を支援しないＵＥの場合、Ｐｃｅｌｌにだけ設定されたサービングセルがただ一つ存在する。
【００４２】
３ＧＰＰ基盤通信標準は、上位層から生じる情報を運ぶリソース要素に対応する下りリンク物理チャネルと、物理層によって用いられるが、上位層から生じる情報を搬送しないリソース要素に対応する下りリンク物理信号を定義する。例えば、物理下りリンク共有チャネル(ｐｈｙｓｉｃａｌ ｄｏｗｎｌｉｎｋ ｓｈａｒｅｄ ｃｈａｎｎｅｌ、ＰＤＳＣＨ)、物理ブロードキャストチャネル(ｐｈｙｓｉｃａｌ ｂｒｏａｄｃａｓｔ ｃｈａｎｎｅｌ、ＰＢＣＨ)、物理マルチキャストチャネル(ｐｈｙｓｉｃａｌ ｍｕｌｔｉｃａｓｔ ｃｈａｎｎｅｌ、ＰＭＣＨ)、物理制御フォーマット指示子チャネル(ｐｈｙｓｉｃａｌ ｃｏｎｔｒｏｌ ｆｏｒｍａｔ ｉｎｄｉｃａｔｏｒ ｃｈａｎｎｅｌ、ＰＣＦＩＣＨ)、物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)及び物理ハイブリッドＡＲＱ指示子チャネル(ｐｈｙｓｉｃａｌ ｈｙｂｒｉｄ ＡＲＱ ｉｎｄｉｃａｔｏｒ ｃｈａｎｎｅｌ、ＰＨＩＣＨ)が下りリンク物理チャネルとして定義されており、参照信号と同期信号が下りリンク物理信号として定義されている。パイロット(ｐｉｌｏｔ)とも呼ばれる参照信号(ｒｅｆｅｒｅｎｃｅ ｓｉｇｎａｌ、ＲＳ)は、ｇＮＢとＵＥが互いに知っている既に定義された特別な波形の信号を意味するが、例えば、セル特定的ＲＳ(ｃｅｌｌ ｓｐｅｃｉｆｉｃ ＲＳ)、ＵＥ−特定的ＲＳ(ＵＥ−ｓｐｅｃｉｆｉｃ ＲＳ、ＵＥ−ＲＳ)、ポジショニングＲＳ(ｐｏｓｉｔｉｏｎｉｎｇ ＲＳ、ＰＲＳ)及びチャネル状態情報ＲＳ(ｃｈａｎｎｅｌ ｓｔａｔｅ ｉｎｆｏｒｍａｔｉｏｎ ＲＳ、ＣＳＩ−ＲＳ)が下りリンク参照信号として定義される。３ＧＰＰ ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号を定義している。例えば、物理上りリンク共有チャネル(ｐｈｙｓｉｃａｌ ｕｐｌｉｎｋ ｓｈａｒｅｄ ｃｈａｎｎｅｌ、ＰＵＳＣＨ)、物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)、物理任意接続チャネル(ｐｈｙｓｉｃａｌ ｒａｎｄｏｍ ａｃｃｅｓｓ ｃｈａｎｎｅｌ、ＰＲＡＣＨ)が上りリンク物理チャネルとして定義され、上りリンク制御／データ信号のための復調参照信号(ｄｅｍｏｄｕｌａｔｉｏｎ ｒｅｆｅｒｅｎｃｅ ｓｉｇｎａｌ、ＤＭＲＳ)と上りリンクチャネル測定に用いられるサウンディング参照信号(ｓｏｕｎｄｉｎｇ ｒｅｆｅｒｅｎｃｅ ｓｉｇｎａｌ、ＳＲＳ)が定義される。
【００４３】
本発明で、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ((Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ Ｃｈａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを搬送する時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／任意(ｒａｎｄｏｍ)接続信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素(ｒｅｓｏｕｒｃｅ ｅｌｅｍｅｎｔ、ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いは、それらを通じて、上りリンク制御情報／上りリンクデータ／任意(ｒａｎｄｏｍ)接続信号を送信することと同じ意味で使われる。また、ｇＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いは、それらを通じて、下りリンクデータ／制御情報を送信することと同じ意味で使われる。
【００４４】
以下では、ＣＲＳ／ＤＭＲＳ／ＣＳＩ−ＲＳ／ＳＲＳ／ＵＥ−ＲＳ／ＴＲＳが割り当てられた或いは設定された(ｃｏｎｆｉｇｕｒｅｄ)ＯＦＤＭシンボル／副搬送波／ＲＥを、ＣＲＳ／ＤＭＲＳ／ＣＳＩ−ＲＳ／ＳＲＳ／ＵＥ−ＲＳ／ＴＲＳシンボル／搬送波／副搬送波／ＲＥと称する。例えば、トラッキングＲＳ(ｔｒａｃｋｉｎｇ  ＲＳ、ＴＲＳ)が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された(ｃｏｎｆｉｇｕｒｅｄ)スロットを、ＴＲＳスロットと称する。また、ブロードキャスト信号が送信されるスロットを、ブロードキャストスロット或いはＰＢＣＨスロットと称し、同期信号(例えば、ＰＳＳ及び／又はＳＳＳ)が送信されるスロットを、同期信号サスロット或いはＰＳＳ／ＳＳＳスロットと称する。ＰＳＳ／ＳＳＳが割り当てられた或いは設定された(ｃｏｎｆｉｇｕｒｅｄ)ＯＦＤＭシンボル／副搬送波／ＲＥをそれぞれ、ＰＳＳ／ＳＳＳシンボル／副搬送波／ＲＥと称する。
【００４５】
本発明で、ＣＲＳポート、ＵＥ−ＲＳポート、ＣＳＩ−ＲＳポート、ＴＲＳポートとは、それぞれ、ＣＲＳを送信するように設定された(ｃｏｎｆｉｇｕｒｅｄ)アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された(ｃｏｎｆｉｇｕｒｅｄ)アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。したがって、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００４６】
本発明で使用される用語及び技術のうち、具体的に説明されていない用語及び技術については、３ＧＰＰ ＬＴＥ/ＬＴＥ−Ａ標準文書、例えば、３ＧＰＰ ＴＳ ３６.２１１、３ＧＰＰ ＴＳ ３６.２１２、３ＧＰＰ ＴＳ ３６.２１３、３ＧＰＰ ＴＳ ３６.３２１及び３ＧＰＰ ＴＳ ３６.３３１などと、３ＧＰＰ ＮＲ 標準文書、例えば、３ＧＰＰ ＴＳ ３８.２１１、３ＧＰＰ ＴＳ ３８.２１２、３ＧＰＰ ３８.２１３、３ＧＰＰ ３８.２１４、３ＧＰＰ ３８.２１５、３ＧＰＰ ＴＳ ３８.３２１及び３ＧＰＰ ＴＳ ３６.３３１などを参照できる。
【００４７】
ＵＥが特定のシステムに連関(ａｓｓｏｃｉａｔｉｏｎ)してサービスを受けるために最初に行うべき動作は、該当システムの時間及び周波数同期を得て基本的なシステム情報(Ｓｙｓｔｅｍ ｉｎｆｏｒｍａｔｉｏｎ、ＳＩ)を受信し、上りリンクへの上りリンクタイミングを合わせることである。かかる過程を一般的に初期接続過程(ｉｎｉｔｉａｌ ａｃｃｅｓｓ ｐｒｏｃｅｄｕｒｅ)という。初期接続過程は一般的に同期化過程(Ｓｙｎｃｈｒｏｎｉｚａｔｉｏｎ ｐｒｏｃｅｄｕｒｅ)とＲＡＣＨ過程(即ち、任意接続過程)を含む。ＬＴＥ／ＬＴＥ−Ａシステムにおいて、ＵＥは、電源が入ったか又は新しくセルに接続しようとする場合、上記セルとの時間及び周波数同期を得、セルの物理階層セル識別子(ｐｈｙｓｉｃａｌ ｌａｙｅｒ ｃｅｌｌ ｉｄｅｎｔｉｔｙ)ＮｃｅｌｌＩＤを検出するなどのセル探索(ｉｎｉｔｉａｌ ｃｅｌｌ ｓｅａｒｃｈ)過程を行う。このために、ＵＥはｅＮＢから同期信号、例えば１次同期信号(Ｐｒｉｍａｒｙ Ｓｙｎｃｈｒｏｎｉｚａｔｉｏｎ Ｓｉｇｎａｌ、ＰＳＳ)及び２次同期信号(Ｓｅｃｏｎｄａｒｙ Ｓｙｎｃｈｒｏｎｉｚａｔｉｏｎ Ｓｉｇｎａｌ、ＳＳＳ)を受信してｅＮＢと同期を合わせ、セル識別子(ｉｄｅｎｔｉｔｙ、ＩＤ)などの情報を得る。説明の便宜上、ＬＴＥ／ＬＴＥ−Ａシステムにおいての同期化過程を再度簡略に説明する。
【００４８】
＞ＰＳＳ：シンボルタイミングの獲得、周波数同期化、セルＩＤグループ内のセルＩＤ検出(ｄｅｔｅｃｔｉｏｎ)(３つの前提(ｈｙｐｏｔｈｅｓｅｓ))。
【００４９】
＞ＳＳＳ：セルＩＤグループ検出(１６８個の前提)、１０ｍｓフレーム境界検出、ＣＰ検出(２つの前提)。
【００５０】
＞ＰＢＣＨ復号(ｄｅｃｏｄｉｎｇ)：アンテナ設定(ｃｏｎｆｉｇｕｒａｔｉｏｎ)、４０ｍｓタイミング検出、システム情報、システム帯域幅など。
【００５１】
即ち、ＵＥはＰＳＳ及びＳＳＳによりＯＦＤＭシンボルタイミング及びサブフレームタイミングを得ると共にセルＩＤを得、セルＩＤを用いてＰＢＣＨをデスクランブル及び復号して該当システムにおいての重要な情報を得る。同期化過程を完了した後、ＵＥは任意接続過程を行う。言い換えれば、初期セル探索を終えたＵＥはｅＮＢへの接続を完了するために任意接続過程(ｒａｎｄｏｍ ａｃｃｅｓｓ ｐｒｏｃｅｄｕｒｅ)を行う。このためにＵＥは物理任意接続チャネル(ｐｈｙｓｉｃａｌ ｒａｎｄｏｍ ａｃｃｅｓｓ ｃｈａｎｎｅｌ、ＰＲＡＣＨ)を介してプリアンブル(ｐｒｅａｍｂｌｅ)を送信し、ＰＤＣＣＨ及びＰＤＳＣＨを介してプリアンブルに対する応答メッセージを受信することができる。上記手順を行ったＵＥは、今後一般的な上／下りリンクの信号送信手順としてＰＤＣＣＨ／ＰＤＳＣＨ受信及びＰＵＳＣＨ／ＰＵＣＣＨ送信を行う。任意接続過程は任意接続チャネル(ｒａｎｄｏｍ ａｃｃｅｓｓ ｃｈａｎｎｅｌ、ＲＡＣＨ)過程とも呼ばれる。任意接続過程は初期接続、上りリンク同期調整、リソース割り当て、ハンドオーバーなどの用途に多様に使用される。
【００５２】
任意接続過程は競争基盤(ｃｏｎｔｅｎｔｉｏｎ−ｂａｓｅｄ)過程と専用(ｄｅｄｉｃａｔｅｄ)(即ち、非−競争基盤)過程に分類される。競争基盤の任意接続過程は初期接続を含めて一般的に使用され、専用の任意接続過程をハンドオーバーなどに制限的に使用する。競争基盤の任意接続過程において、ＵＥはＲＡＣＨプリアンブルシーケンスを任意に(ｒａｎｄｏｍｌｙ)選択する。従って、複数のＵＥが同時に同一のＲＡＣＨプリアンブルシーケンスを送信することが可能であり、これにより、今後競争解消過程が必要である。反面、専用の任意接続過程において、ＵＥはｅＮＢが該当ＵＥに割り当てた唯一のＲＡＣＨプリアンブルシーケンスを使用する。従って、他のＵＥとの衝突なしに任意接続過程を行うことができる。
【００５３】
競争基盤の任意接続過程は以下の４段階を含む。以下、段階１〜４で送信されるメッセージは各々メッセージ１〜４(Ｍｓｇ１〜Ｍｓｇ４)とも呼ばれる。
【００５４】
−段階１：ＲＡＣＨプリアンブル(ｖｉａ ＰＲＡＣＨ)(ＵＥ ｔｏ ｅＮＢ)
【００５５】
−段階２：任意接続応答(ｒａｎｄｏｍ ａｃｃｅｓｓ ｒｅｓｐｏｎｓｅ、ＲＡＲ)(ｖｉａ ＰＤＣＣＨ及びＰＤＳＣＨ)(ｅＮＢ ｔｏＵＥ)
【００５６】
−段階３：レイヤ２／レイヤ３メッセージ(ｖｉａ ＰＵＳＣＨ)(ＵＥ ｔｏ ｅＮＢ)
【００５７】
−段階４：競争解消(ｃｏｎｔｅｎｔｉｏｎ ｒｅｓｏｌｕｔｉｏｎ)メッセージ(ｅＮＢ ｔｏＵＥ)
【００５８】
専用の任意接続過程は以下の３段階を含む。以下、段階０〜２で送信されるメッセージは各々メッセージ０〜２(Ｍｓｇ０〜Ｍｓｇ２)とも呼ばれる。任意接続過程の一部としてＲＡＲに対応する上りリンクの送信(即ち、段階３)も行われることができる。専用の任意接続過程は基地局がＲＡＣＨプリアンブル送信を命令する用途のＰＤＣＣＨ(以下、ＰＤＣＣＨオーダー)を用いてトリガリングされることができる。
【００５９】
−段階０：専用シグナリングによるＲＡＣＨプリアンブル割り当て(ｅＮＢ ｔｏＵＥ)
【００６０】
−段階１：ＲＡＣＨプリアンブル(ｖｉａ ＰＲＡＣＨ)(ＵＥ ｔｏ ｅＮＢ)
【００６１】
−段階２：任意接続応答(ＲＡＲ)(ｖｉａ ＰＤＣＣＨ及びＰＤＳＣＨ)(ｅＮＢ ｔｏＵＥ)
【００６２】
ＲＡＣＨプリアンブル送信後、ＵＥは所定の時間ウィンドウ内で任意接続応答(ｒａｎｄｏｍ ａｃｃｅｓｓ ｒｅｓｐｏｎｓｅ、ＲＡＲ)受信を試みる。具体的には、ＵＥは時間ウィンドウ内でＲＡ−ＲＮＴＩ(Ｒａｎｄｏｍ Ａｃｃｅｓｓ ＲＮＴＩ)を有するＰＤＣＣＨ(以下、ＲＡ−ＲＮＴＩ ＰＤＣＣＨ)(例えば、ＰＤＣＣＨでＣＲＣがＲＡ−ＲＮＴＩにマスキングされる)の検出を試みる。ＲＡ−ＲＮＴＩ ＰＤＣＣＨの検出時、ＵＥはＲＡ−ＲＮＴＩ ＰＤＣＣＨに対応するＰＤＳＣＨ内に自分のためのＲＡＲが存在するか否かを確認する。ＲＡＲはＵＬ同期化のためのタイミングオフセット情報を示すタイミングアドバンス(ｔｉｍｉｎｇ ａｄｖａｎｃｅ、ＴＡ)情報、ＵＬリソース割り当て情報(ＵＬグラント情報)、臨時端末識別子(例えば、ｔｅｍｐｏｒａｒｙ ｃｅｌｌ−ＲＮＴＩ、ＴＣ−ＲＮＴＩ)などを含む。ＵＥはＲＡＲ内のリソース割り当て情報及びＴＡ値によってＵＬ送信(例えば、Ｍｓｇ３)を行うことができる。ＲＡＲに対応するＵＬ送信にはＨＡＲＱが適用される。従って、ＵＥはＭｓｇ３の送信後、Ｍｓｇ３に対応する受信応答情報(例えば、ＰＨＩＣＨ)を受信することができる。
【００６３】
図１はＬＴＥ／ＬＴＥ−Ａシステムにおける任意接続過程を示す概略図である。ＲＲＣ連結有無によってＲＲＣ状態が変化する。ＲＲＣ状態とは、ＵＥのＲＲＣ階層のエンティティ(ｅｎｔｉｔｙ)がｅＮＢのＲＲＣ階層のエンティティと論理的連結(ｌｏｇｉｃａｌ ｃｏｎｎｅｃｔｉｏｎ)されているか否かを言い、連結されている場合をＲＲＣ連結状態(ｃｏｎｎｅｃｔｅｄ ｓｔａｔｅ)と言い、連結されていない状態をＲＲＣ休止状態(ｉｄｌｅ ｓｔａｔｅ)と言う。即ち、休止モード(ｉｄｌｅ ｓｔａｔｅ)のＵＥは大きい地域単位で存在有無のみ把握され、音声やデータのような通常の移動通信サービスを受けるためには、ＵＥは連結状態(ｃｏｎｎｅｃｔｅｄ ｓｔａｔｅ)に遷移する必要がある。ユーザがＵＥに最初に電源を入れた時、ＵＥはまず適切なセルを探索した後、該当セルで休止モードを維持する。休止モードを維持しているＵＥはＲＲＣ連結を行う必要がある時に初めてＲＲＣ連結過程(ＲＲＣｃｏｎｎｅｃｔｉｏｎ ｐｒｏｃｅｄｕｒｅ)によりｅＮＢのＲＲＣ階層とＲＲＣ連結を行い、ＲＲＣ連結状態(ＲＲＣ_ＣＯＮＮＥＣＴＥＤ)に遷移する。ＲＲＣ連結過程は大きく、ＵＥがｅＮＢにＲＲＣ連結要請(ＲＲＣｃｏｎｎｅｃｔｉｏｎ ｒｅｑｕｅｓｔ)メッセージ送信する過程、ｅＮＢがＵＥにＲＲＣ連結設定(ＲＲＣｃｏｎｎｅｃｔｉｏｎ ｓｅｔｕｐ)メッセージを送信する過程、またＵＥがｅＮＢにＲＲＣ連結設定完了(ＲＲＣｃｏｎｎｅｃｔｉｏｎ ｓｅｔｕｐ ｃｏｍｐｌｅｔｅ)メッセージを送信する過程からなる。ＲＲＣ連結要請メッセージの送信のためにはＵＬグラントが必要であるので、休止モードのＵＥはＵＬグラントを得るためにＲＡＣＨ過程を行わなければならない。即ち、ＵＥはＲＡプリアンブル(即ち、Ｍｓｇ１)を送信し(Ｓ１０１)、ＲＡプリアンブルに対する応答であるＲＡＲ(即ち、Ｍｓｇ２)を受信する必要がある(Ｓ１０２)。ＵＥはＲＲＣ連結要請メッセージを含むＭｓｇ３をＲＡＲ内のリソース割り当て情報(即ち、スケジューリング情報)及びタイミングアドバンス値によってｅＮＢに送信する(Ｓ１０３)。ＵＥからＲＲＣ連結要請メッセージを受信すると、ｅＮＢは無線リソースが十分である場合には、ＵＥのＲＲＣ連結要請を承認し、応答メッセージであるＲＲＣ連結設定(ＲＲＣｃｏｎｎｅｃｔｉｏｎ ｓｅｔｕｐ)メッセージをＵＥに送信する(Ｓ１０４)。ＵＥがＲＲＣ連結設定メッセージを受信すると、ｅＮＢにＲＲＣ連結設定完了(ＲＲＣｃｏｎｎｅｃｔｉｏｎ ｓｅｔｕｐ ｃｏｍｐｌｅｔｅ)メッセージを送信する(Ｓ１０５)。ＵＥがＲＲＣ連結設定メッセージを成功的に送信すると、初めてＵＥはｅＮＢとＲＲＣ連結を行ってＲＲＣ連結モードに遷移する。即ち、ＲＡＣＨ過程を完了すると、ＵＥは該当セルに連結された状態になる。
【００６４】
図２は既存のＬＴＥ／ＬＴＥ−Ａシステムにおいて任意接続プリアンブルのフォーマットを例示する図である。
【００６５】
既存のＬＴＥ／ＬＴＥ−Ａシステムにおいて、任意接続プリアンブル、即ち、ＲＡＣＨプリアンブルは、物理階層においてＴＣＰの循環前置(ｃｙｃｌｉｃ ｐｒｅｆｉｘ)及び長さＴＳＥＱのシーケンス部分で構成される。パラメータ値ＴＣＰのＴＳＥＱは以下の表にリストされており、フレーム構造と任意接続設定に依存する。プリアンブルのフォーマットは上位階層により制御される。３ＧＰＰ ＬＴＥ／ＬＴＥ−Ａシステムにおいて、セルのシステム情報及び移動性制御情報によりＰＲＡＣＨ設定情報をシグナリングする。ＰＲＡＣＨ設定情報は該当セル内のＲＡＣＨ過程に使用される、ルートシーケンスインデックス、Ｚａｄｏｆｆ−Ｃｈｕシーケンスの循環遷移単位(ＮＣＳ)、ルートシーケンスの長さ、プリアンブルのフォーマットなどを示す。３ＧＰＰ ＬＴＥ／ＬＴＥ−Ａシステムにおいて、プリアンブルのフォーマット及びＲＡＣＨプリアンブルが送信可能な時期であるＰＲＡＣＨ機会は、ＲＡＣＨ設定情報の一部であるＰＲＡＣＨ設定インデックスにより指示される(３ＧＰＰ ＴＳ ３６.２１１のセクション５.７及び３ＧＰＰ ＴＳ ３６.３３１の"ＰＲＡＣＨ−Config"参照)。ＲＡＣＨプリアンブルに使用されるＺＣシーケンスの長さは、プリアンブルのフォーマットにより決められる。
【００６６】
【表１】
0006916893.tif 000002
【００６７】
ＬＴＥ／ＬＴＥ−Ａシステムにおいて、ＰＡＣＨプリアンブルはＵＬサブフレームで送信される。任意接続プリアンブル送信は特定の時間及び周波数リソースにより制限される。かかるリソースをＰＲＡＣＨリソースといい、ＰＲＡＣＨリソースは、インデックス０が無線フレームで低い番号のＰＲＢ及びサブフレームに対応するように、無線フレーム内のサブフレーム番号と、周波数ドメインにおけるＰＲＢの増加順に番号が付けられる。任意接続リソースがＰＲＡＣＨ設定インデックスにより定義される(３ＧＰＰ ＴＳ ３６.２１１ 標準文書参照)。ＰＲＡＣＨ設定インデックスは(ｅＮＢにより送信される)上位階層信号により与えられる。ＬＴＥ/ＬＴＥ−Ａシステムにおいて、副搬送波間隔Δfは１５ｋＨｚ或いは７．５ｋＨｚであるが、任意接続プリアンブルのための副搬送波間隔ΔfRAは１.２５ｋＨｚ或いは０.７５ｋＨｚである。図３は不連続受信(ｄｉｓｃｏｎｔｉｎｕｏｕｓ ｒｅｃｅｐｔｉｏｎ、ＤＲＸ)の概念を示す図である。
【００６８】
ＬＴＥ／ＬＴＥ−Ａシステムにおいて、ＰＤＣＣＨの連続するモニタリングによる消費電力を減少するために、ＤＲＸがＵＥにより行われる。ここで、モニタリングはＰＤＣＣＨ候補セット内の各ＰＤＣＣＨの復号を試みることを暗示する。ＤＲＸがないと、下りリンクのデータがいつでも到達できるので、ＵＥは下りリンクデータを復号するために常にオンになっている必要があるが、これはＵＥの消費電力に深刻な影響を与える。ＵＥはＲＲＣ連結及びスケジューリングの識別に使用される固有(ｕｎｉｑｕｅ)識別子であるセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)、ＰＵＣＣＨの電力制御に使用される識別子であるＴＰＣ−ＰＵＣＣＨ−ＲＮＴＩ、ＰＵＳＣＨの電力制御に使用される識別子であるＴＰＣ−ＰＵＳＣＨ−ＲＮＴＩ及び(設定された場合)準−持続的(ｓｅｍｉ−ｐｅｒｓｉｓｔｅｎｔ)スケジューリングのために使用される固有識別子である準−持続的スケジューリングＣ−ＲＮＴＩに対するＵＥのＰＤＣＣＨモニタリング活動を制御するＤＲＸ機能性(ｆｕｎｃｔｉｏｎａｌｉｔｙ)を有するようにＲＲＣにより設定されることができる。ＲＲＣ_ＣＯＮＮＥＣＴＥＤにおいて、ＤＲＸが設定されると、ＵＥはＤＲＸ動作を使用して不連続的に(ｄｉｓｃｏｎｔｉｎｕｏｕｓｌｙ)ＰＤＣＣＨのモニタリングが許容され、そうではないと、ＵＥはＰＤＣＣＨを連続して(ｃｏｎｔｉｎｕｏｕｓｌｙ)モニタする。図３を参照すると、ＤＲＸがＲＲＣ_ＣＯＮＮＥＣＴＥＤ状態のＵＥに対して設定されると、ＵＥは下りリンクチャネル(ＰＤＣＣＨ)の受信を試み、即ち、所定の時間期間の間にのみＰＤＣＣＨモニタリングを行い、ＵＥは残りの時間期間の間にＰＤＣＣＨモニタリングを行わない。ＵＥがＰＤＣＣＨをモニタリングする時間期間を“Ｏｎ Ｄｕｒａｔｉｏｎ”という。ＤＲＸサイクルごとに１つのＯｎ Ｄｕｒａｔｉｏｎが定義される。即ち、ＤＲＸサイクルは、図３に示したように、Ｏｎ Ｄｕｒａｔｉｏｎ及びその後の可能な非活動性(ｉｎａｃｔｉｖｉｔｙ)期間の周期的な繰り返しを特定する。
【００６９】
ＵＥは１つのＤＲＸサイクルにおいてＯｎ Ｄｕｒａｔｉｏｎの間に常にＰＤＣＣＨをモニタし、ＤＲＸサイクルはＯｎ Ｄｕｒａｔｉｏｎが設定された期間を決定する。ＤＲＸサイクルは、ＤＲＸサイクル期間によって長いＤＲＸサイクルと短いＤＲＸサイクルに分類される。長いＤＲＸサイクルはＵＥのバッテリー消費を最小化し、短いＤＲＸサイクルはデータ送信遅延を最小化することができる。
【００７０】
ＵＥがＤＲＸサイクルにおいてＯｎ Ｄｕｒａｔｉｏｎの間にＰＤＣＣＨを受信すると、Ｏｎ Ｄｕｒａｔｉｏｎ以外の時間期間の間に追加送信又は再送信が発生することができる。よって、ＵＥはＯｎ Ｄｕｒａｔｉｏｎ以外の時間期間の間にＰＤＣＣＨをモニタする必要がある。即ち、、ＵＥはＯｎ Ｄｕｒａｔｉｏｎ管理タイマーであるｏｎＤｕｒａｔｉｏｎＴｉｍｅｒだけではなく、非活動性管理タイマーであるｄｒｘ−ＩｎａｃｔｉｖｉｔｙＴｉｍｅｒ又は再送信管理タイマーであるｄｒｘ−ＲｅｔｒａｎｓｍｉｓｓｉｏｎＴｉｍｅｒが駆動中である時間期間の間にＰＤＣＣＨモニタリングを行う必要がある。
【００７１】
ＲＲＣは、タイマーｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ(ブロードキャストプロセスを除いたＤＬ ＨＡＲＱプロセスごとに１つ)、ｄｒｘ−ＵＬＲｅｔｒａｎｓｍｉｓｓｉｏｎＴｉｍｅｒ(非同期ＵＬ ＨＡＲＱプロセスごとに１つ)、ｌｏｎｇＤＲＸ−Ｃｙｃｌｅ、ｄｒｘＳｔａｒｔＯｆｆｓｅｔの値、また選択的にｄｒｘＳｈｏｒｔＣｙｃｌｅＴｉｍｅｒ及びｓｈｏｒｔＤＲＸ−Ｃｙｃｌｅを設定することによりＤＲＸ動作を制御する。ｅＮＢはＲＲＣシグナリングにより、これらのパラメータを含むＤＲＸ設定情報をＵＥに提供する。ＵＥはＤＲＸ設定情報を受信する。ＤＬ ＨＡＲＱ当たりの(ブロードキャストプロセスを除く)ＤＬ ＨＡＲＱ ＲＴＴタイマー及び非同期ＵＬ ＨＡＲＱプロセス当たりのＵＬ ＨＡＲＱ ＲＴＴタイマーも定義される。ｏｎＤｕｒａｔｉｏｎＴｉｍｅｒはＤＲＸサイクルの初期に連続するＰＤＣＣＨ−サブフレームの数を特定する。ｄｒｘ−ＩｎａｃｔｉｖｉｔｙＴｉｍｅｒはＰＤＣＣＨがこのＵＥに対する初期ＵＬ、ＤＬ又はＳＬユーザデータ送信を示すサブフレーム後の連続するＰＤＣＣＨサブフレーム数を特定する。ｄｒｘ−ＲｅｔｒａｎｓｍｉｓｓｉｏｎＴｉｍｅｒはＤＬ再送信が受信されるまでの連続するＰＤＣＣＨ−サブフレームの最大数を特定する。ｄｒｘ−ＵＬＲｅｔｒａｎｓｍｉｓｓｉｏｎＴｉｍｅｒはＵＬ再送信に対するグラントが受信されるまでの連続するＰＤＣＣＨ−サブフレームの最大数を特定する。ｄｒｘＳｔａｒｔＯｆｆｓｅｔはＤＲＸサイクルが開始されるサブフレームを特定する。ｄｒｘＳｈｏｒｔＣｙｃｌｅＴｉｍｅｒはＵＥが短いＤＲＸサイクルに従う連続するサブフレームの数を特定する。ＤＬ ＨＡＲＱ ＲＴＴタイマーはＵＥによってＤＬ ＨＡＲＱ再送信が期待される前の最小量のサブフレームを特定する。ＵＬ ＨＡＲＱ ＲＴＴタイマーはＵＥによってＵＬ ＨＡＲＱ再送信グラントが期待される前の最小量のサブフレームを特定する。
【００７２】
各々のタイマー値はサブフレーム数で定義される。サブフレーム数はタイマー値に到達するまでカウントされる。タイマー値が満たされると、タイマーが満了する。一応開始すると、停止又は満了するまでタイマーが駆動し、そうではないと、駆動しない。タイマーが駆動中ではないと開始されるか、駆動中であると再開始される。タイマーは常に初期値から開始又は再開始される。
【００７３】
さらに、ＵＥは任意接続(ｒａｎｄｏｍ ａｃｃｅｓｓ)の間又はＵＥがスケジューリング要請を送信し、ＵＬグラントの受信を試みる時にＰＤＣＣＨモニタリングを行わなければならない。
【００７４】
ＵＥがＰＤＣＣＨモニタリングを行う期間をアクティブ時間という。アクティブ時間は、ＰＤＣＣＨが周期的にモニタされるＯｎ Ｄｕｒａｔｉｏｎ及びイベントの発生時にＰＤＣＣＨがモニタされる時間間隔を含む。ＤＲＸサイクルが設定されると、アクティブ時間は以下の時間を含む:
【００７５】
＞ｏｎＤｕｒａｔｉｏｎＴｉｍｅｒ又はｄｒｘ−ＩｎａｃｔｉｖｉｔｙＴｉｍｅｒ又はｄｒｘ−ＲｅｔｒａｎｓｍｉｓｓｉｏｎＴｉｍｅｒ又はｄｒｘ−ＵＬＲｅｔｒａｎｓｍｉｓｓｉｏｎＴｉｍｅｒ又はｍａｃ−ＣｏｎｔｅｎｔｉｏｎＲｅｓｏｌｕｔｉｏｎＴｉｍｅｒが駆動中である;又は
【００７６】
＞スケジューリング要請がＰＵＣＣＨ上で送信され、係属(ｐｅｎｄｉｎｇ)中の;又は
【００７７】
＞係属中のＨＡＲＱ再送信に対する上りリンクグラントが発生でき、同期ＨＡＲＱプロセスに対する該当ＨＡＲＱバッファー内にデータがある;又は
【００７８】
＞ＵＥにより選択されなかったプリアンブルに対する任意接続応答(ｒａｎｄｏｍ ａｃｃｅｓｓ ｒｅｓｐｏｎｓｅ)の成功的な受信後にＵＥのＣ−ＲＮＴＩにアドレスされた新しい送信を示すＰＤＣＣＨが受信されない時間。
【００７９】
ここで、ｍａｃ−ＣｏｎｔｅｎｔｉｏｎＲｅｓｏｌｕｔｉｏｎＴｉｍｅｒは、Ｍｓｇ３の送信後にＵＥがＰＤＣＣＨをモニタする連続(ｃｏｎｓｅｃｕｔｉｖｅ)ＰＤＣＣＨ−サブフレームの最大数を特定する。ＤＲＸが設定されると、各々のサブフレームに対して、ＭＡＣエンティティは:
【００８０】
＞ＤＬ ＨＡＲＱ ＲＴＴタイマーがこのサブフレームで満了し、該当ＨＡＲＱプロセスのデータが成功的に復号されないと:
【００８１】
＞＞該当ＨＡＲＱプロセスに対するｄｒｘ−ＲｅｔｒａｎｓｍｉｓｓｉｏｎＴｉｍｅｒを開始する。
【００８２】
＞ＤＲＸ命令ＭＡＣ制御要素(ｃｏｎｔｒｏｌ ｅｌｅｍｅｎｔ)又は長い(Ｌｏｎｇ)ＤＲＸ命令ＭＡＣ制御要素が受信されると:
【００８３】
＞＞ｏｎＤｕｒａｔｉｏｎＴｉｍｅｒを中止し;
【００８４】
＞＞ｄｒｘ−ＩｎａｃｔｉｖｉｔｙＴｉｍｅｒを中止する。
【００８５】
＞ｄｒｘ−ＩｎａｃｔｉｖｉｔｙＴｉｍｅｒが満了するか、又はＤＲＸ命令ＭＡＣ制御要素がこのサブフレームで受信されると:
【００８６】
＞＞ｏｎＤｕｒａｔｉｏｎＴｉｍｅｒを中止し;
【００８７】
＞＞ｄｒｘ−ＩｎａｃｔｉｖｉｔｙＴｉｍｅｒを中止する。
【００８８】
＞ｄｒｘ−ＩｎａｃｔｉｖｉｔｙＴｉｍｅｒが満了するか、又はＤＲＸ命令ＭＡＣ制御要素がこのサブフレームで受信されると:
【００８９】
＞＞短いＤＲＸサイクルが設定されると:
【００９０】
＞＞＞ｄｒｘＳｈｏｒｔＣｙｃｌｅＴｉｍｅｒを開始又は再開始し;
【００９１】
＞＞＞短いＤＲＸサイクルを使用する。
【００９２】
＞＞そうではないと:
【００９３】
＞＞＞長いＤＲＸサイクルを使用する。
【００９４】
＞ｄｒｘＳｈｏｒｔＣｙｃｌｅＴｉｍｅｒがこのサブフレームで満了すると:
【００９５】
＞＞長いＤＲＸサイクルを使用する。
【００９６】
＞短いＤＲＸサイクルが使用され、{(ＳＦＮ＊１０)＋サブフレーム番号}モジュロ(ｍｏｄｕｌｏ)(ｓｈｏｒｔＤＲＸ−Ｃｙｃｌｅ)＝(ｄｒｘＳｔａｒｔＯｆｆｓｅｔ)モジュロ(ｓｈｏｒｔＤＲＸ−Ｃｙｃｌｅ)であるか;
【００９７】
＞長いＤＲＸサイクルが使用され、{(ＳＦＮ＊１０)＋サブフレーム番号}モジュロ(ｌｏｎｇＤＲＸ−Ｃｙｃｌｅ)＝ｄｒｘＳｔａｒｔＯｆｆｓｅｔであると:
【００９８】
＞＞ｏｎＤｕｒａｔｉｏｎＴｉｍｅｒを開始する。 
【００９９】
＞アクティブ時間の間に、ＰＤＣＣＨ−サブフレームに対して、サブフレームがハーフデュプレックスＦＤＤ ＵＥ動作に対する上りリンク送信のために要求されないと、またサブフレームが設定された測定ギャップの一部(ｐａｒｔ)ではないと;
【０１００】
＞＞ＰＤＣＣＨをモニタする;
【０１０１】
＞＞ＰＤＣＣＨがＤＬ送信を指示するか、又はＤＬ割り当てがこのサブフレームのために設定されると:
【０１０２】
＞＞＞該当ＨＡＲＱプロセスに対するＨＡＲＱ ＲＴＴタイマーを開始し;
【０１０３】
＞＞＞該当ＨＡＲＱプロセスに対するｄｒｘ−ＲｅｔｒａｎｓｍｉｓｓｉｏｎＴｉｍｅｒを中止する。
【０１０４】
＞＞ＰＤＣＣＨが新しい送信(ＤＬ又はＵＬ)を示すと:
【０１０５】
＞＞＞ｄｒｘ−ＩｎａｃｔｉｖｉｔｙＴｉｍｅｒを開始又は再開始する。
【０１０６】
＞アクティブ時間内ではない時、タイプ−０−トリガーされたＳＲＳ(ｔｙｐｅ−０−ｔｒｉｇｇｅｒｅｄ ＳＲＳ)(３６．２１３を参照)は報告されない。
【０１０７】
＞ＣＱＩマスキング(ｃｑｉ−Ｍａｓｋ)が上位階層(例、ＲＲＣ)によりセットアップされると:
【０１０８】
＞＞ｏｎＤｕｒａｔｉｏｎＴｉｍｅｒが駆動中である時、ＰＵＣＣＨ上のＣＱＩ／ＰＭＩ／ＲＩ／ＰＴＩは報告されない。
【０１０９】
＞そうではないと(ｅｌｓｅ):
【０１１０】
＞＞アクティブ時間内である時、ＰＵＣＣＨ上のＣＱＩ／ＰＭＩ／ＲＩ／ＰＴＩは報告されない。
【０１１１】
ＵＥがＰＤＣＣＨをモニタしているか否かに関係なく、そういうものが予測される時にはＵＥはＨＡＲＱフィードバックを受信及び送信し、タイプ１−トリガーされたＳＲＳ(３６．２１３を参照)を送信する。
【０１１２】
上記説明において、ＰＤＣＣＨ−サブフレームはＰＤＣＣＨを有するサブフレームである。任意のＴＤＤサービングセルとして設定されないＵＥの場合、これは任意のサブフレームを示し、少なくとも１つのＴＤＤサービングセルとして設定されたＵＥの場合、ＵＥが集成されたセルで同時受信及び送信が可能であれば、これはＲＲＣシグナリングにより提供されたｓｃｈｅｄｕｌｉｎｇＣｅｌｌＩｄパラメータで設定されたサービングセルを除いて、ＲＲＣシグナリングにより提供されたＴＤＤ−Ｃｏｎｆｉｇ(３ＧＰＰ ＴＳ ３６．３３１を参照)により指示されたＴＤＤ ＵＬ／ＤＬ設定のＤｗＰＴＳを含むサブフレーム及び下りリンクサブフレームの全てのサービングセルに対する和集合(ｕｎｉｏｎ)を示し、そうではないと、これはＳｐＣｅｌｌがｔｄｄ−Ｃｏｎｆｉｇにより指示されたＴＤＤ ＵＬ／ＤＬ設定のＤｗＰＴＳを含むサブフレーム又は下りリンクサブフレームで設定されたサブフレームを示す。
【０１１３】
より多い通信機器がより大きな通信容量を要求することにより、既存の無線接続技術(ｒａｄｉｏ ａｃｃｅｓｓ ｔｅｃｈｎｏｌｏｇｙ、ＲＡＴ)に比べて向上したモバイルブロードバンド通信の必要性が高まっている。また、多数の器機及びモノを連結していつでもどこでも多様なサービスを提供する大規模の(ｍａｓｓｉｖｅ)ＭＴＣが次世代通信の主要争点の１つになっている。さらに信頼性及び遅延(ｌａｔｅｎｃｙ)に敏感なサービス／ＵＥを考慮した通信システムのデザインも考えられている。このように進歩したモバイルブロードバンド通信、ｍＭＴＣ、ＵＲＬＬＣ(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ)などを考慮した次世代ＲＡＴの導入が論議されている。現在、３ＧＰＰではＥＰＣ以後の次世代移動通信システムに対する研究が進行中である。本発明では便宜上、該当技術を新しいＲＡＴ(ｎｅｗ ＲＡＴ、ＮＲ)或いは５Ｇ ＲＡＴと呼ぶ。
【０１１４】
ＮＲ通信システムは、データレート、容量(ｃａｐａｃｉｔｙ)、遅延、エネルギー消費及び費用の面で、既存の４世代(４Ｇ)システムより相当に優れる性能の支援が要求されている。従って、ＮＲシステムは帯域幅、スペクトル、エネルギー、シグナリング効率及びビット当たりの費用の領域において相当な進歩が必要である。
【０１１５】
＜ＯＦＤＭニューマロロジー＞
【０１１６】
新しいＲＡＴシステムはＬＴＥのＯＦＤＭパラメータとは異なるＯＦＤＭパラメータに従う。例えば、新しいＲＡＴシステムは以下の表のＯＦＤＭニューマロロジーを有することができる。
【０１１７】
【表２】
0006916893.tif 000003
【０１１８】
又は新しいＲＡＴシステムはＯＦＤＭ送信方式又は類似する送信方式を使用する。新しいＲＡＴシステムは既存のＬＴＥ／ＬＴＥ−Ａのニューマロロジーをそのまま従うが、より大きいシステム帯域幅(例えば、１００ＭＨｚ)を有することができる。又は、１つのセルが複数のニューマロロジーを支援することもできる。即ち、互いに異なるニューマロロジーで動作するＵＥが１つのセル内に共存することができる。例えば、以下の表におけるＯＦＤＭニューマロロジーのうちの１つ以上を新しいＲＡＴシステムのセルで使用できる。以下の表は、ＬＴＥシステムで使用された１５ｋＨｚの副搬送波間隔を基本として、１５ｋＨｚと倍数関係にある３０ｋＨｚ、６０ｋＨｚ、１２０ｋＨｚの副搬送波間隔を有するＯＦＤＭニューマロロジーを使用できることを示す。以下の表において、循環プレフィックス(ｃｙｃｌｉｃ ｐｒｅｆｉｘ、ＣＰ)、システム帯域幅、及び利用可能な副搬送波の数は例示に過ぎず、以下の表に記載された値はやや変更可能である。例えば、代表的には６０ｋＨｚの副搬送波間隔に対してシステム帯域幅を１００ＭＨｚと設定でき、この場合、利用可能な副搬送波の数は１５００を超えて１６６６より小さい値であることができる。また以下の表において、サブフレームの長さ及びサブフレーム当たりのＯＦＤＭシンボルの数は一例に過ぎず、他の値で定義されることができる。
【０１１９】
【表３】
0006916893.tif 000004
【０１２０】
＜サブフレーム構造＞３ＧＰＰ ＬＴＥ／ＬＴＥ−Ａシステムで用いられる無線フレームは、１０ｍｓ(３０７２００Ｔｓ)の長さを有し、１０個の均等なサイズのサブフレーム(ｓｕｂｆｒａｍｅ、ＳＦ)で構成される。１無線フレーム内の１０個のサブフレームにはそれぞれ番号を与えることができる。ここで、Ｔｓはサンプリング時間を示し、Ｔｓ＝１／(２０４８＊１５ｋＨｚ)で表示される。各々のサブフレームは１ｍｓの長さを有し、２個のスロットで構成される。１無線フレーム内において２０個のスロットは０から１９まで順にナンバリングされる。各々のスロットは０.５ｍｓの長さを有する。１サブフレームを送信するための時間は、送信時間間隔(ｔｒａｎｓｍｉｓｓｉｏｎ ｔｉｍｅ ｉｎｔｅｒｖａｌ、ＴＴＩ)で定義される。時間リソースは無線フレーム番号(或いは無線フレームインデックスともいう)、サブフレーム番号(或いはサブフレーム番号ともいう)、スロット番号(或いはスロットインデックス)などにより区分される。ＴＴＩとは、データがスケジューリング可能な間隔を意味する。例えば、現在のＬＴＥ／ＬＴＥ−Ａシステムにおいて、ＵＬグラント或いはＤＬグランドの送信機会は１ｍｓごとに存在し、１ｍｓより短い時間内にＵＬ／ＤＬグラント機会が複数存在することではない。従って、既存のＬＴＥ／ＬＴＥ−ＡシステムにおいてＴＴＩは１ｍｓである。
【０１２１】
図４は新しい無線接続技術(ｎｅｗ ｒａｄｉｏ ａｃｃｅｓｓ ｔｅｃｈｎｏｌｏｇｙ、ＮＲ)において利用可能なスロット構造を例示する図である。
【０１２２】
データ送信遅延を最小化するために、５世代の新しいＲＡＴでは制御チャネルとデータチャネルが時間分割多重化(ｔｉｍｅ ｄｉｖｉｓｉｏｎ ｍｕｌｔｉｐｌｅｘｉｎｇ、ＴＤＭ)されるスロットの構造が考えられている。
【０１２３】
図４において、斜線領域はＤＣＩを運ぶＤＬ制御チャネル(例えば、ＰＤＣＣＨ)の送信領域を示し、黒色部分はＵＣＩを運ぶＵＬ制御チャネル(例えば、ＰＵＣＣＨ)の送信領域を示す。ここで、ＤＣＩはｇＮＢがＵＥに伝達する制御情報であり、ＤＣＩはＵＥが分かるべきセル設定(ｃｏｎｆｉｇｕｒａｔｏｉｎ)に関する情報、ＤＬスケジューリングなどのＤＬ特定的情報、またＵＬグラントのようなＵＬ特定的情報などを含む。またＵＣＩはＵＥがｇＮＢに伝達する制御情報であり、ＵＣＩはＤＬデータに対するＨＡＲＱ ＡＣＫ／ＮＡＣＫ報告、ＤＬチャネル状態に対するＣＳＩ報告、またスケジューリング要請(ｓｃｈｅｄｕｌｉｎｇ ｒｅｑｕｅｓｔ，ＳＲ)などを含む。
【０１２４】
図４において、シンボルインデックス１からシンボルインデックス１２までのシンボル領域は、下りリンクデータを運ぶ物理チャネル(例えば、ＰＤＳＣＨ)の送信、又は上りリンクデータを運ぶ物理チャネル(例えば、ＰＤＣＣＨ)の送信に使用される。図４のスロット構造によると、１つのスロット内においてＤＬ送信とＵＬ送信が順に行われて、ＤＬデータの送信／受信とＤＬデータに対するＵＬ ＡＣＫ／ＮＡＣＫの受信／送信が１つのスロット内で行われる。結果として、データ送信エラーの発生時にデータの再送信までにかかる時間を短縮させることにより、最終データ伝達の遅延を最小化することができる。
【０１２５】
このようなスロットの構造では、ｇＮＢ及びＵＥは送信モードから受信モードへの転換過程又は受信モードから送信モードへの転換過程のための時間ギャップ(ｔｉｍｅ ｇａｐ)が必要である。このような送信モードと受信モードの間の転換過程のために、スロット構造においてＤＬからＵＬに転換される時点の一部ＯＦＤＭシンボルがガード期間(ｇｕａｒｄ ｐｅｒｉｏｄ、ＧＰ)に設定される。
【０１２６】
既存のＬＴＥ／ＬＴＥ−Ａシステムにおいては、ＤＬ制御チャネルはデータチャネルとＴＤＭされ、制御チャネルであるＰＤＣＣＨはシステムの全帯域に広がって送信される。しかし、新しいＲＡＴでは、１つのシステムの帯域幅が最小約１００ＭＨｚに達すると予想されるので、制御チャネルを全帯域に拡散して送信することは無理である。ＵＥがデータ送受信のために下りリンク制御チャネル受信のために全帯域をモニタリングすることは、ＵＥのバッテリー消耗増大及び効率性低下を招く。従って、本発明ではＤＬ制御チャネルをシステム帯域、即ちチャネル帯域内の一部の周波数帯域でローカライズ(ｌｏｃａｌｉｚｅ)して送信するか、或いは分散して送信することができる。
【０１２７】
ＮＲシステムにおいて、基本送信ユニット(ｂａｓｉｃ ｔｒａｎｓｍｉｓｓｉｏｎ ｕｎｉｔ)はスロットである。スロット区間(ｄｕｒａｔｉｏｎ)は正規(ｎｏｒｍａｌ)循環プレフィックス(ｃｙｃｌｉｃ ｐｒｅｆｉｘ、ＣＰ)を有する１４個のシンボルからなるか、又は拡張ＣＰを有する１２個のシンボルからなる。また、スロットは使用された副搬送波間隔の関数であって、時間でスケーリングされる。ＮＲシステムにおいて、スケジューラはＴＴＩの単位(例えば、１つのミニスロット、１つのスロット或いは複数のスロット)で無線リソースを割り当てる。
【０１２８】
＜アナログビーム形成(ａｎａｌｏｇ ｂｅａｍｆｏｒｍｉｎｇ)＞
【０１２９】
最近論議されている５世代移動通信システムは広い周波数帯域を用いて多数のユーザに高い送信率を維持しながらデータを送信するために高い超高周波帯域、即ち、６ＧＨｚ以上のミリメートル周波数帯域を用いる方案を考慮している。３ＧＰＰではこれをＮＲと称しており、以下本発明ではＮＲシステムと称する。しかし、ミリメートル周波数帯域は非常に高い周波数帯域を用いるため、距離による信号減殺が急激であるという周波数特性を有する。従って、少なくとも６ＧＨｚ以上の帯域を使用するＮＲシステムでは、急激な電波減殺特性を補償するために、信号送信を全方向ではなく特定の方向にエネルギーを集めて送信することにより、急激な電波減殺によるカーバリッジ減少の問題を解決する狭ビーム(ｎａｒｒｏｗ ｂｅａｍ)送信技法を使用している。しかし、１つの狭ビームのみでサービスする場合、１つの基地局がサービスを提供する範囲が狭くなるので、基地局は多数の狭ビームを集めて広帯域にサービスを提供する。
【０１３０】
ミリメートル周波数帯域、即ち、ミリメートル波長(ｍｉｌｌｉｍｅｔｅｒ ｗａｖｅ、ｍｍＷ)帯域では、波長が短くなって、同じ面積に多数のアンテナ要素を設けることが可能になる。例えば、１ｃｍ程度の波長を有する３０ＧＨｚ帯域においては５ｂｙ５ｃｍのパネルに０.５λ(波長)間隔で２次元配列形態で総１００個のアンテナ要素を設けることができる。よって、ｍｍＷでは、多数のアンテナ要素を使用してビーム形成利得を高めてカバレッジを増加させるか、或いは処理量(ｔｈｒｏｕｇｈｐｕｔ)を高めることが考えられる。
【０１３１】
ミリメートル周波数帯域において狭ビームを形成する方法として、基地局やＵＥから多数のアンテナに適切な位相差を用いて同じ信号を送信することにより、特定の方向でのみエネルギーが高くなるビーム形成方式が主に考えられている。このようなビーム形成方式には、デジタル基底帯域(ｂａｓｅｂａｎｄ)信号に位相差を形成するデジタルビーム形成、変調されたアナログ信号に時間遅延(即ち、循環遷移)を用いて位相差を形成するアナログビーム形成、デジタルビーム形成とアナログビーム形成を全て利用するハイブリッドビーム形成などがある。アンテナ要素ごとに送信パワー及び位相調節ができるようにトランシーバユニット(ｔｒａｎｓｃｅｉｖｅｒ ｕｎｉｔ、ＴＸＲＵ)を有すると、周波数リソースごとに独立したビーム形成が可能になる。しかし、１００余個の全てのアンテナ要素にＴＸＲＵを設けることは費用面で実効性が乏しい。即ち、ミリメートル周波数帯域は急激な電波減殺特性を補償するために多数のアンテナを使用する必要があり、デジタルビーム形成はアンテナ数ほどのＲＦコンポーネント(例えば、デジタルアナログコンバータ(ＤＡＣ)、ミキサー(ｍｉｘｅｒ)、電力増幅器(ｐｏｗｅｒ ａｍｐｌｉｆｉｅｒ)、線形増幅器(ｌｉｎｅａｒ ａｍｐｌｉｆｉｅｒ)など)を必要とするので、ミリメートル周波数帯域においてデジタルビーム形成を具現するためには通信機器の単価が上がる問題がある。従って、ミリメートル周波数帯域のようにアンテナが多く必要な場合には、アナログビーム形成又はハイブリッドビーム形成方式が考慮される。アナログビーム形成方式は、１つのＴＸＲＵに多数のアンテナ要素をマッピングし、アナログ位相遷移器(ａｎａｌｏｇ ｐｈａｓｅ ｓｈｉｆｔｅｒ)でビームの方向を調節する。かかるアナログビーム形成方式は全体帯域において１つのビーム方向のみを形成するので、周波数選択的ビーム形成(ｂｅａｍｆｏｒｍｉｎｇ、ＢＦ)ができない短所がある。ハイブリッドＢＦはデジタルＢＦとアナログＢＦの中間形態であって、Ｑ個のアンテナ要素より少ない数であるＢ個のＴＸＲＵを有する方式である。ハイブリッドＢＦの場合、Ｂ個のＴＸＲＵとＱ個のアンテナ要素の連結方式によって差はあるが、同時に送信可能なビームの方向はＢ個以下に制限される。
【０１３２】
上述したように、デジタルビーム形成は、送信又は受信デジタルの基底帯域信号に対して信号処理を行うので、多重ビームを用いて同時に複数の方向に信号を送信又は受信できる反面、アナログビーム形成は、送信又は受信アナログ信号を変調した状態でビーム形成を行うので、１つのビームがカバーする範囲を超える複数の方向に信号を同時に送信又は受信することができない。通常、基地局は広帯域送信又は多重アンテナ特性を用いて同時に多数のユーザと通信を行うが、基地局がアナログ又はハイブリッドビーム形成を使用し、１つのビーム方向にアナログビームを形成する場合には、アナログビーム形成の特性上、同じアナログビーム方向内に含まれるユーザとのみ通信が可能である。後述する本発明によるＲＡＣＨリソース割り当て及び基地局のリソース活用方案は、アナログビーム形成又はハイブリッドビーム形成の特性により発生する制約事項を反映して提案される。
【０１３３】
＜ハイブリッドアナログビーム形成(ｈｙｂｒｉｄ ａｎａｌｏｇ ｂｅａｍｆｏｒｍｉｎｇ)＞
【０１３４】
図５は送受信器ユニット(ｔｒａｎｓｃｅｉｖｅｒ ｕｎｉｔ、ＴＸＲＵ)及び物理的アンテナの観点でハイブリッドビーム形成の構造を抽象的に示す図である。
【０１３５】
複数のアンテナが使用される場合、デジタルビーム形成及びアナログビーム形成を結合したハイブリッドビーム形成技法が考えられている。この時、アナログビーム形成(又はＲＦビーム形成)は、ＲＦユニットがプリコーディング(又は結合(ｃｏｍｂｉｎｉｎｇ))を行う動作を意味する。ハイブリッドビーム形成において、基底帯域(ｂａｓｅｂａｎｄ)ユニットとＲＦユニットは各々プリコーティング(又は結合)を行い、これによりＲＦチェーンの数とＤ／Ａ(又はＡ／Ｄ)コンバータの数を減らしながらデジタルビーム形成に近接する性能を得られるという長所がある。説明の便宜上、ハイブリッドビーム形成の構造は、Ｎ個のＴＸＲＵとＭ個の物理的アンテナで表すことができる。この時、送信端から送信するＬ個のデータレイヤに対するデジタルビーム形成は、Ｌ−ｂｙ−Ｌ行列で表され、その後、変換されたＮ個のデジタル信号はＴＸＲＵを介してアナログ信号に変換され、変換された信号に対してＭ−ｂｙ−Ｎ行列で表されるアナログビーム形成が適用される。図５において、デジタルビームの数はＬであり、アナログビームの数はＮである。さらに、ＮＲシステムにおいては、アナログビーム形成をシンボル単位で変更できるように基地局を設計して、特定の地域に位置したＵＥに効率的なビーム形成を支援する方向が考えられている。また、Ｎ個のＴＸＲＵとＭ個のＲＦアンテナを１つのアンテナパネルと定義した時、ＮＲシステムにおいては、互いに独立したハイブリッドビーム形成が適用可能な複数のアンテナパネルを導入する方案も考えられている。以上のように基地局が複数のアナログビームを活用する場合、ＵＥごとに信号の受信に有利なアナログビームが異なるので、少なくとも同期信号、システム情報、ページング(ｐａｇｉｎｇ)などについては、特定のスロット又はサブフレームにおいて基地局が適用する複数のアナログビームをシンボルごとに変化させて全てのＵＥが受信機会を有するようにするビームスイーピング(ｂｅａｍ ｓｗｅｅｐｉｎｇ)動作が考えられている。
【０１３６】
最近３ＧＰＰ標準化団体では、５Ｇ無線通信システムである新しいＲＡＴシステム、即ち、ＮＲシステムにおいて単一の物理ネットワーク上に複数の論理ネットワークを具現するネットワークスライシングが考慮されている。論理ネットワークは様々な要求条件を有する様々なサービス(例えば、ｅＭＢＢ、ｍＭＴＣ、ＵＲＬＬＣなど)を支援する必要があり、ＮＲシステムの物理階層システムでは、様々なサービスによる可変的なニューマロロジーを有し得る直交周波数分割多重化(ｏｒｔｈｏｇｏｎａｌ ｆｒｅｑｕｅｎｃｙ ｄｉｖｉｓｉｏｎ ｍｕｌｔｉｐｌｅｘｉｎｇ、ＯＦＤＭ)方式を支援する方案が考慮されている。言い換えれば、ＮＲシステムでは、時間及び周波数リソース領域ごとに互いに独立したニューマロロジーを有するＯＦＤＭ方式(又は多重接続方式)が考慮されている。
【０１３７】
また、最近スマート機器の登場によってデータトラフィックが急増することにより、ＮＲシステムではより高い通信容量(例えば、データ収率など)の支援が求められている。通信容量を高める１つの方案として、多数の送信(又は受信)アンテナを活用してデータ送信を行う方法が考えられる。多数のアンテナに対してデジタルビーム形成を適用する場合、各アンテナごとにＲＦチェーン(例えば、電力増幅器(ｐｏｗｅｒ ａｍｐｌｉｆｉｅｒ)、ダウンコンバータ(ｄｏｗｎ ｃｏｎｖｅｒｔｅｒ)などのＲＦ素子からなるチェーン)とデジタル−ｔｏ−アナログ(ｄｉｇｉｔａｌ−ｔｏ−Ａｎａｌｏｇ、Ｄ／Ａ)又はアナログ−ｔｏ−デジタル(ａｎａｌｏｇ−ｔｏ−ｄｉｇｉｔａｌ、Ａ／Ｄ)コンバータが必要であるが、かかる構造は、高いハードウェア複雑度と高い電力消耗を引き起こして実用的ではない。従って、ＮＲシステムでは、多数のアンテナが使用される場合、上述したデジタルビーム形成とアナログビーム形成を混用するハイブリッドビーム形成技法が台頭されている。
【０１３８】
図６は新しい無線接続技術(ｎｅｗ ｒａｄｉｏ ａｃｃｅｓｓ ｔｅｃｈｎｏｌｏｇｙ、ＮＲ)システムのセルを例示する図である。
【０１３９】
図６を参照すると、ＮＲシステムにおいて、既存のＬＴＥなどの無線通信システムに１つの基地局が１つのセルを形成したこととは異なり、複数のＴＲＰが１つのセルを構成する方案が論議されている。複数のＴＲＰが１つのセルを構成すると、ＵＥをサービスするＴＲＰが変わっても中断されずに通信が続行され、ＵＥの移動性管理が容易である。
【０１４０】
ＬＴＥ／ＬＴＥ−Ａシステムにおいて、ＰＳＳ／ＳＳＳは全−方位的(ｏｍｎｉ−ｄｉｒｅｃｔｉｏｎ)に送信されることに反して、ｍｍＷａｖｅを適用するｇＮＢがビーム方向を全−方位的に変化しながらＰＳＳ／ＳＳＳ／ＰＢＣＨなどの信号をビーム形成して送信する方法が考えられている。このように、ビーム方向を変化しながら信号を送信／受信することをビームスイーピング(ｂｅａｍ ｓｗｅｅｐｉｎｇ)又はビームスキャニングという。例えば、ｇＮＢが最大Ｎ個のビーム方向を有すると仮定すると、Ｎ個のビーム方向に対して各々ＰＳＳ／ＳＳＳ／ＰＢＣＨなどの信号を送信する。即ち、ｇＮＢは自分が有し得る又は支援しようとする方向をスイーピングしながら各々の方向に対してＰＳＳ／ＳＳＳ／ＰＢＣＨなどの同期信号を送信する。又はｇＮＢがＮ個のビームを形成できる場合、いくつずつのビームを集めて１つのビームグループを構成でき、ビームグループごとにＰＳＳ／ＳＳＳ／ＰＢＣＨを送信／受信することができる。この時、１つのビームグループは１つ以上のビームを含む。同じ方向に送信されるＰＳＳ／ＳＳＳ／ＰＢＣＨなどの信号が１つのＳＳブロックと定義されることができ、１つのセル内に複数のＳＳブロックが存在することができる。複数のＳＳブロックが存在する場合、各ＳＳブロックの区分のために、ＳＳブロックインデックスを使用できる。例えば、１つのシステムにおいて１０つのビーム方向にＰＳＳ／ＳＳＳ／ＰＢＣＨが送信される場合、同方向へのＰＳＳ／ＳＳＳ／ＰＢＣＨが１つのＳＳブロックを構成することができ、該当システムでは１０つのＳＳブロックが存在すると理解できる。本発明において、ビームインデックスはＳＳブロックインデックスと解析できる。
【０１４１】
図７はＳＳブロック送信及びＳＳブロックにリンクされたＲＡＣＨリソースを例示する図である。
【０１４２】
ｇＮＢが１つのＵＥと通信するためには、ｇＮＢとＵＥの間の最適のビーム方向を把握する必要があり、ＵＥの動きによって最適のビーム方向も変化するので、最適のビーム方向を持続的に追跡する必要がある。ｇＮＢとＵＥの間の最適のビーム方向を把握する過程をビーム獲得(ｂｅａｍ ａｃｑｕｉｓｉｔｉｏｎ)過程といい、最適のビーム方向を持続的に追跡する過程をビーム追跡(ｂｅａｍ ｔｒａｃｋｉｎｇ)過程という。ビーム獲得過程は、１)ＵＥがｇＮＢに最初に接続を試みる初期接続、２)ＵＥが１つのｇＮＢから他のｇＮＢに移るハンドオーバー、３)ＵＥとｇＮＢの間の最適のビームを探すビーム追跡中に最適のビームを失い、ｇＮＢとの通信が最適の通信状態を持続できないか又は通信不可能になった状態、即ち、ビーム失敗(ｂｅａｍ ｆａｉｌｕｒｅ)を回復するためのビーム回復(ｂｅａｍ ｒｅｃｏｖｅｒｙ)などに必要である。
【０１４３】
現在開発中であるＮＲシステムの場合、多重ビームを使用する環境においてビーム獲得のために多段階のビーム獲得過程が論議されている。多段階のビーム獲得過程において、ｇＮＢとＵＥが初期接続段では広いビームを用いて連結設定を進行し、連結設定の完了後、ｇＮＢとＵＥは狭いビームを用いて最適の品質で通信を行う。本発明において主に論議するＮＲシステムのビーム獲得のために様々な方式が論議されているが、現在最も盛んに論議される方式は以下のものである。
【０１４４】
１)ｇＮＢはＵＥが初期接続段階でｇＮＢを探し、即ち、セル探索(ｃｅｌｌ ｓｅａｒｃｈ)或いはセル獲得を行い、広いビームのビームごとのチャネル品質を測定してビーム獲得の１次段階で使用する最適の広いビームを探すために、広いビームごとに同期ブロック(ｓｙｎｃｈｒｏｎｉｚａｔｉｏｎ ｂｌｏｃｋ)を送信する。２)ＵＥはビームごとの同期ブロックに対してセル探索を行い、ビームごとのセル検出結果を用いて下りリンクビーム獲得を行う。３)ＵＥは自分が探したｇＮＢに自分の接続を知らせるために、ＲＡＣＨ過程を行う。４)ＵＥがＲＡＣＨ過程と同時に広いビームレベルで下りリンクビーム獲得結果(例、ビームインデックス)をｇＮＢに知らせるために、ｇＮＢはビームごとに送信された同期ブロックとＲＡＣＨ送信のために使用されるＲＡＣＨリソースを連結或いは連関させる。ＵＥは自分が探した最適のビーム方向に連結されたＲＡＣＨリソースを用いてＲＡＣＨ過程を行うと、ｇＮＢはＲＡＣＨプリアンブルの受信過程でＵＥに適合した下りリンクビームに関する情報を得る。
【０１４５】
多重ビーム環境においては、ＵＥと送信及び受信ポイント(ｔｒａｎｓｍｉｓｓｉｏｎ ａｎｄ ｒｅｃｅｐｔｉｏｎ ｐｏｉｎｔ、ＴＲＰ)の間のＴｘビーム及び／又は受信(ｒｅｃｅｐｔｉｏｎ、Ｒｘ)ビーム方向をＵＥ及び／又はＴＲＰが正確に決定できるかが問題である。多重ビーム環境において、ＴＲＰ(例、ｅＮＢ)或いはＵＥのＴＸ／ＲＸ相互能力によって信号送信を繰り返し或いは信号受信のためのビームスイーピングが考えられる。ＴＸ／ＲＸ相互能力はＴＲＰ及びＵＥにおけるＴＸ／ＲＸビーム対応性(ｃｏｒｒｅｓｐｏｎｄｅｎｃｅ)ともいう。多重ビーム環境において、ＴＲＰ及びＵＥでＴＸ／ＲＸ相互能力が有効ではないと、ＵＥは自分が下りリンク信号を受信したビーム方向に上りリンク信号を送信しないことができる。ＵＬの最適の経路とＤＬの最適の経路が異なることがあるためである。ＴＲＰにおけるＴＸ／ＲＸビーム対応性は、ＴＲＰがＴＲＰの１つ以上のＴＸビームに関するＵＥの下りリンク測定に基づいて該当上りリンク受信のためにＴＲＰ ＲＸビームを決定できると、及び／又はＴＲＰがＴＲＰの１つ以上のＲＸビームに関するＴＲＰ’の上りリンク測定に基づいて該当下りリンク送信に対するＴＲＰ ＴＸビームを決定できると、有効である。ＵＥにおけるＴＸ／ＲＸビーム対応性は、ＵＥがＵＥの１つ以上のＲＸビームに関するＵＥの下りリンク測定に基づいて該当上りリンク送信のためのＵＥ ＲＸビームを決定できると、及び／又はＵＥがＵＥの１つ以上のＴＸビームに関する上りリンク測定に基づくＴＲＰの指示(ｉｎｄｉｃａｔｉｏｎ)に基づいて該当下りリンク受信に対するＵＥ ＴＸビームを決定できると、有効である。
【０１４６】
ｇＮＢとＵＥにおける送信及び受信のためのビームセットの獲得及び維持(ｍａｉｎｔｅｎａｎｃｅ)をビーム管理という。即ち、ビーム管理は、ＤＬ及びＵＬの送信／受信のために使用できるＴＲＰ及び／又はＵＥビームセットを得て維持するＬ１／Ｌ２過程のセットである。ビーム管理は少なくとも以下の様相(ａｓｐｅｃｔ)を含む:
【０１４７】
＊ＴＲＰ又はＵＥが自分のＴｘ／Ｒｘビームを選択するためのビーム決定(ｂｅａｍ ｄｅｔｅｒｍｉｎａｔｉｏｎ);
【０１４８】
＊ＴＲＰ又はＵＥが受信されたビーム形成された信号の特性(ｃｈａｒａｃｔｅｒｉｓｔｉｃ)を測定するためのビーム測定(ｂｅａｍ ｍｅａｓｕｒｅｍｅｎｔ);
【０１４９】
＊ＵＥがビーム測定に基づいてビーム形成された信号の情報を報告するためのビーム報告(ｂｅａｍ ｒｅｐｏｒｔｉｎｇ)及び／又は
【０１５０】
＊所定の方式で時間間隔(ｔｉｍｅ ｉｎｔｅｒｖａｌ)の間に送信及び／又は受信されるビームを有して、空間(ｓｐａｔｉａｌ)領域をカバーする動作であるビームスイーピング(ｂｅａｍ ｓｗｅｅｐｉｎｇ)。
【０１５１】
以下のＤＬ Ｌ１／Ｌ２ビーム管理過程が１つ又は多数のＴＲＰ内で支援される:
【０１５２】
＊Ｐ−１：ＴＲＰ Ｔｘビーム／ＵＥ Ｒｘビームの選択を支援するために、異なるＴＲＰ Ｔｘビームに対するＵＥ測定を可能にするために使用される。ＴＲＰにおけるビーム形成の場合、Ｐ−１は通常的には互いに異なるビームセットからのイントラ／インタ−ＴＲＰ Ｔｘビームスイープ(ｓｗｅｅｐ)を含む。ＵＥにおけるビーム形成の場合、Ｐ−１は通常、異なるビームセットからのＵＥ Ｒｘビームスイープを含む。
【０１５３】
＊Ｐ−２：インタ／イントラ−ＴＲＰ Ｔｘビームを変更するために、異なるＴＲＰ Ｔｘビームに対するＵＥ測定を可能にするために使用される。Ｐ−１においてより微細なビーム調整のために小さいビームセットからのビームに対してＰ−２が使用される可能性がある。Ｐ−２はＰ−１の特別ケースである。
【０１５４】
＊Ｐ−３：ＵＥがビーム形成を使用する場合、ＵＲ Ｒｘビームを変更するために、同じＴＲＰ Ｔｘビームに対するＵＥ測定を可能にするために使用される。
【０１５５】
少なくともネットワークによりトリガーされた非周期的ビーム報告は、Ｐ−１、Ｐ−２及びＰ−３関連動作下で支援される。ビーム管理のためのＲＳ(少なくともＣＳＩ−ＲＳ)に基づくＵＥ測定は、Ｋ個(＝所定のビームの総数)のビームで構成され、ＵＥはＮ個の選択されたＴｘビームの測定結果を報告する。ここで、Ｎは必ず固定する数ではない。移動性のためのＲＳに基づく過程が排除されない。Ｎ＜Ｋであると、報告情報は少なくともＮ個のビームに対する測定量(ｍｅａｓｕｒｅｍｅｎｔ ｑｕａｎｔｉｔｙ)及びＮ個のＤＬ Ｔｘビームを示す情報を含む。特に、ＵＥがＫ'＞１個の非ゼロ電力(ｎｏｎ−ｚｅｒｏ ｐｏｗｅｒ、ＮＺＰ)ＣＳＩ−ＲＳリソースを有して設定されると、ＵＥはＮ'個のＣＳＩ−ＲＳリソース指示子(ＣＳＩ−ＲＳ ｒｅｓｏｕｒｃｅ ｉｎｄｉｃａｔｏｒ、ＣＲＩ)を報告することができる(３ＧＰＰ ＴＳ ３８．２１４を参照)。ＵＥはビーム管理のために以下の上位階層(例、ＲＲＣ)パラメータを有して設定される：Ｎ≧１個の報告セット(ｒｅｐｏｒｔｉｎｇ ｓｅｔｔｉｎｇ)、Ｍ≧１個のリソースセット。報告セットとリソースセットの間のリンクは、同意されたＣＳＩ測定セット内に設定される。ＣＳＩ−ＲＳ基盤のＰ−１及びＰ−２がリソース及び報告セットを有して支援される。Ｐ−３は報告セットを有して又は報告セットを有さず支援されることができる。報告セットは少なくとも選択されたビームを示す情報、Ｌ１測定報告、時間−ドメイン行動(例、非周期的、周期的、準−持続的)、多数の周波数粒度(ｇｒａｎｕｌａｒｉｔｙ)が支援されると、周波数−粒度を含む。リソースセットは少なくとも時間−ドメイン行動(例、非周期的、周期的、準−持続的)、ＲＳタイプ(少なくともＮＺＰ ＣＳＩ−ＲＳ)、各ＣＳＩ−ＲＳリソースセットがＫ≧１個のＣＳＩ−ＲＳリソースを有する少なくとも１つのＣＳ−ＲＳリソースセットを含むことができる。Ｋ個のＣＳＩ−ＲＳリソースの一部のパラメータ(例えば、ポーと番号、時間−ドメイン行動、密度及び周期など)は同一であることができる。ビーム報告に対して少なくとも以下の２つの可能性が支援される。
【０１５６】
＊Ａｌｔ１:
【０１５７】
ＵＥは選択されたＵＥ Ｒｘビームセットを使用して受信可能なＴＲＰ Ｔｘビームに関する情報を報告する。ここで、ＲｘビームセットはＤＬ信号を受信するために使用されるＵＥ Ｒｘビームのセットをいう。どのようにＲｘビームセットを構築するかは、ＵＥ具現の問題である。一例としては、ＵＥ Ｒｘビームセット内のＲｘビームが各々パネル内の選択されたＲｘビームに対応することができる。１つ以上のＵＥ Ｒｘビームセットを有するＵＥの場合、ＵＥはＴＲＰ Ｔｘビームと、報告されたＴｘビーム当たりの連関するＵＥ Ｒｘビームセットの識別子を報告することができる。同じＲｘビームセットに対して報告された異なるＴＲＰ ＴｘビームはＵＥにおいて同時に受信されることができる。異なるＵＥ Ｒｘビームセットに対して報告された異なるＴＲＰ Ｔｘビームは、ＵＥで同時に受信されないこともできる。
【０１５８】
＊Ａｌｔ２:
【０１５９】
ＵＥはＵＥアンテナグループ当たりＴＲＰ Ｔｘビームに関する情報を報告するが、ここでＵＥアンテナグループはＵＥアンテナパネル又はサブアレイを示す。１つ以上のＵＥアンテナグループを有するＵＥに対して、ＵＥはＴＲＰ Ｔｘビーム、また報告されるＴｘビーム当たりの連関ＵＥアンテナグループの識別子を報告することができる。異なるアンテナグループについて報告された異なるＴｘビームは、ＵＥで同時に受信されることができる。同じＵＥアンテナグループに対して報告された異なるＴｘビームは、ＵＥで同時に受信されないこともできる。
【０１６０】
またＮＲシステムは、Ｌ＞１のＬ個のグループを考えた後のビーム報告を支援し、各グループは、どの代案が採択されたかによって、Ｒｘビームセット(Ａｌｔ１)又はＵＥアンテナグループ(Ａｌｔ２)を参照する。各グループlに対して、ＵＥは少なくとも以下の情報を報告する：一部のケースに対して少なくともグループを示す情報;Ｎl個のビームに対する測定量;(ＣＳＩ−ＲＳがＣＳＩを得るためのものである時)ＲＳＲＰ及びＣＳＩ報告;及び／又は適用可能であれば、Ｎl個のＤＬ Ｔｘビームを示す情報。かかるグループに基づくビーム報告は、ＵＥ単位で設定可能である。かかるグループ基盤のビーム報告は、例えば、Ｌ＝１又はＮl＝１である時、ＵＥ単位でターンオフされる。グループ基盤のビーム報告がターンオフされると、いかなるグループ識別子も報告されないことができる。
【０１６１】
ＮＲシステムはＵＥがビーム失敗から回復するためのメカニズムをトリガーできることを支援する。ビーム失敗イベントは、連関する制御チャネルのビーム対(ｐａｉｒ)リンクの品質が十分に低い時に発生する(例、臨界値との比較、連関するタイマーのタイムアウト)。ビーム失敗から回復するためのメカニズムは、ビーム失敗が発生した時にトリガーされる。ここで、ビーム対リンクは便宜のために使用され、規格(ｓｐｅｃｉｆｉｃａｔｉｏｎ)として使用されるか又は使用されないことができる。ネットワークは回復のために信号のＵＬ送信のためのリソースを有してＵＥを明示的に設定する。リソースの設定は基地局が全体又は部分方向から聞いているところ、例えば、任意接続領域で支援される。ビーム失敗を報告するためのＵＬ送信／リソースは、ＰＲＡＣＨ(ＰＲＡＣＨリソースに直交するリソース)のような時間インスタント又はＰＲＡＣＨとは異なる(ＵＥに対して設定可能な)時間インスタントに位置することができる。ＤＬ信号の送信は新しい潜在的ビームを識別するために、ＵＥがビームをモニタすることを許容するために支援される。
【０１６２】
ＮＲシステムはビーム関連の指示を有して、又はビーム関連の指示を有さずにビーム管理を支援する。ビーム関連の指示が提供される場合、ＣＳＩ−ＲＳ基盤の測定のために使用されるＵＥ側のビーム形成／受信過程に関する情報は、ＱＣＬ(ｑｕａｓｉ ｃｏ−ｌｏｃａｔｉｏｎ)によりＵＥに指示されることができる。ＮＲシステムは制御チャネル及び該当データチャネルの送信において同じ又は異なるビームを使用することを支援する。
【０１６３】
ビーム対リンクのブロッキングに対して堅固性(ｒｏｂｕｓｔｎｅｓｓ)を支援するＮＲ−ＰＤＣＣＨ送信のために、ＵＥは同時にＭ個のビーム対リンク上のＮＲ−ＰＤＣＣＨをモニタするように設定され、ここでＭ≧１であり、Ｍの最大値は少なくともＵＥ能力に依存する。ＵＥは異なるＮＲ−ＰＤＣＣＨ ＯＦＤＭシンボルで異なるビーム対リンク上のＮＲ−ＰＤＣＣＨをモニタするように設定される。多数のビーム対リンク上でＮＲ−ＰＤＣＣＨをモニタするためのＵＥ Ｒｘビームセットに関連するパラメータは、上位階層シグナリング又は媒体接続制御(ｍｅｄｉｕｍ Ａｃｃｅｓｓ ｃｏｎｔｒｏｌ、ＭＡＣ)の制御要素(ｃｏｎｔｒｏｌ ｅｌｅｍｅｎｔ、ＣＥ)により設定されるか、及び／又は探索空間の設計で考慮される。少なくともＮＲシステムは、ＤＬ ＲＳアンテナポートとＤＬ制御チャネルの復調のためのＤＬ ＲＳアンテナポートの間の空間ＱＣＬ仮定の指示を支援する。ＮＲ−ＰＤＣＣＨに対するビーム指示のための候補シグナリング方法(即ち、ＮＲ−ＰＤＣＣＨをモニタするようにする設定方法)は、ＭＡＣ ＣＥシグナリング、ＲＲＣシグナリング、下りリンク制御情報(ｄｏｗｎｌｉｎｋ ｃｏｎｔｒｏｌ ｉｎｆｏｒｍａｔｉｏｎ、ＤＣＩ)シグナリング、規格−明らかな(ｓｐｅｃｉｆｉｃａｔｉｏｎ＝ｔｒａｎｓｐａｒｅｎｔ)及び／又は暗黙的な方法、またこれらのシグナリング方法の組み合わせである。場合によっては、指示が不要である。
【０１６４】
ユニキャストＤＬデータチャネルの受信のために、ＮＲシステムはＤＬ ＲＳアンテナポートとＤＬデータチャネルのＤＭＲＳアンテナポートの間の空間ＱＣＬ仮定の指示を支援する。上記ＲＳアンテナポートを示す情報は、ＤＣＩ(例、下りリンクグラント)により指示される。上記情報はＤＭＲＳアンテナポートとＱＣＬされたＲＳアンテナポートを指示する。ＤＬデータチャネルに対するＤＭＲＳアンテナポートのセットは、他のセットのＲＳアンテナポートとＱＣＬされたことと指示できる。場合によっては、指示が不要である。
【０１６５】
一方、従来のＬＴＥシステムにおいて、ＵＥが接続ネットワーク上でＲＲＣ_ＩＤＬＥ状態であると、コアネットワークではＥＣＭ_ＩＤＬＥ状態であり、接続ネットワーク上でＲＲＣ_ＣＯＮＮＥＣＴＥＤ状態であると、コアネットワーク上ではＥＣＭ_ＣＯＮＮＥＣＴＥＤ状態にある。即ち、従来のＬＴＥシステムにおいて、ＲＲＣ_ＩＤＬＥのＵＥはＥＣＭ_ＩＤＬＥのＵＥであり、ＲＲＣ_ＣＯＮＮＥＣＴＥＤのＵＥはＥＣＭ_ＣＯＮＮＥＣＴＥＤのＵＥである。ＩＤＬＥであるＵＥの場合、(Ｓ１−ＭＭＥにわたる)論理(ｌｏｇｉｃａｌ)Ｓ１−ＡＰ(Ｓ１ Ａｐｐｌｉｃａｔｉｏｎ Ｐｒｏｔｏｃｏｌ)シグナリング連結及びＵＥのための(Ｓ１−Ｕ内の)全てのＳ１ベアラがない。ＩＤＬＥであるＵＥの場合は、ネットワークの観点で制御平面ではＵＥとのＳ１シグナリング及びＲＲＣ連結が、またユーザ平面ではＵＥとの下りリンクＳ１ベアラ及びデータ無線ベアラ(ｄａｔａ ｒａｄｉｏ ｂｅａｒｅｒ、ＤＲＢ)が行われないか又は解除されている。ＩＤＬＥであるＵＥの観点でＩＤＬＥ状態は、制御平面及びユーザ平面の各々において自分のＲＲＣ連結及びＤＲＢがないことを意味する。例えば、連結解除過程によって連結が一応解除されると、ＵＥとＭＭＥの間のＥＣＭ連結が解除され、ＵＥと連関する全てのコンテキストがｅＮＢから削除される。その後、ＵＥはＵＥ及びＭＭＥではＥＣＭ_ＣＯＮＮＥＣＴＥＤ状態からＥＣＭ_ＩＤＬＥ状態に遷移し、ＵＥ及びｅＮＢではＲＲＣ_ＣＯＮＮＥＣＴＥＤ状態からＥＣＭ_ＩＤＬＥ状態に遷移する。このため、ＵＥに対する連結制御がいつでもコアネットワークにより行われ、ＵＥに対するページングもコアネットワークによって開始及び管理される必要がある。従って、ＵＥとネットワークの間のトラフィック輸送が支援することができる。また、ＲＲＣ_ＩＤＬＥのＵＥがトラフィックを送信する場合、或いはネットワークがＲＲＣ_ＩＤＬＥのＵＥにトラフィックを送信する場合、サービス要請過程によりＵＥがＲＲＣ_ＣＯＮＮＥＣＴＥＤに遷移するが、このサービス要請過程は様々なメッセージ交換を伴う。このため、ＵＥとネットワークの間のトラフィック輸送が遅延することができる。ＲＲＣ_ＩＤＬＥとＲＲＣ_ＣＯＮＮＥＣＴＥＤの間の遷移過程で発生する遅延を減らすために、ＬＴＥ−ＡシステムにＲＲＣ_ＩＮＡＣＴＩＶＥ状態を導入しようとする論議があり、５ＧシステムでもＲＲＣ_ＩＮＡＣＴＩＶＥ状態を支援することが考えられている。例えば、５ＧシステムのＲＲＣ階層は以下の特性を有する３つの状態を支援することができる(３ＧＰＰ ＴＲ ３８．８０４ ｖ０．７.０を参照)。
【０１６６】
＊ＲＲＣ_ＩＤＬＥ
【０１６７】
−セル再選択移動性;
【０１６８】
−ページングがコアネットワーク(ｃｏｒｅ ｎｅｔｗｏｒｋ、ＣＮ)により開始される;
【０１６９】
−ページング領域がＣＮにより管理される。
【０１７０】
＊ＲＲＣ_ＩＮＡＣＴＩＶＥ:
【０１７１】
−セル再選択移動性(ｍｏｂｉｌｉｔｙ);
【０１７２】
−ＣＮ−ＮＲ ＲＡＮ連結(制御平面及びユーザ平面の両方)がＵＥに対して行われる(ｅｓｔａｂｌｉｓｈ);
【０１７３】
−ＵＥ接続層(ａｃｃｅｓｓ ｓｔｒａｔｕｍ、ＡＳ)コンテキストが少なくとも１つのｇＮＢ及びＵＥに貯蔵されている;
【０１７４】
−ページングが新しいＲＡＴ無線接続ネットワーク(ｎｅｗ ＲＡＴ ｒａｄｉｏ Ａｃｃｅｓｓ ｎｅｔｗｏｒｋ、ＮＲ ＲＡＮ)により開始される;
【０１７５】
−ＲＡＮ基盤の通知(ｎｏｔｉｆｉｃａｔｉｏｎ)領域がＮＲ ＲＡＮにより管理される;
【０１７６】
−ＮＲ ＲＡＮがＵＥが属したＲＡＮ基盤の通知領域を知る;
【０１７７】
＊ＲＲＣ_ＣＯＮＮＥＣＴＥＤ:
【０１７８】
−ＵＥがＮＲ ＲＲＣ連結を有する;
【０１７９】
−ＵＥがＮＲにＡＳコンテキストを有する;
【０１８０】
−ＮＲ ＲＡＮがＵＥが属したセルを知る;
【０１８１】
−ＵＥへの／からのユニキャストデータの伝達(ｔｒａｎｓｆｅｒ);
【０１８２】
−ＮＲ内及びＥ−ＵＴＲＡＮへの／からのネットワーク制御移動性(ｎｅｔｗｏｒｋ ｃｏｎｔｒｏｌｌｅｄ ｍｏｂｉｌｉｔｙ)、即ち、ハンドオーバー
【０１８３】
図８はＵＥ状態遷移を例示する図である。ＵＥは１回に１つのＲＲＣ状態のみを有する。
【０１８４】
図８を参照すると、以下の状態遷移がＲＲＣ状態の間で支援される：“連結設定(ｃｏｎｎｅｃｔｉｏｎ ｓｅｔｕｐ)”過程(例、要請、設定、完了)に従って、ＲＲＣ_ＩＤＬＥからＲＲＣ_ＣＯＮＮＥＣＴＥＤに;(少なくとも)“連結解除(ｃｏｎｎｅｃｔｉｏｎ ｒｅｌｅａｓｅ)”過程に従って、ＲＲＣ_ＣＯＮＮＥＣＴＥＤからＲＲＣ_ＩＤＬＥに;“連結非活性化(ｃｏｎｎｅｃｔｉｏｎ ｉｎａｃｔｉｖａｔｉｏｎ)”過程に従って、ＲＲＣ_ＣＯＮＮＥＣＴＥＤからＲＲＣ_ＩＮＡＣＴＩＶＥに;“連結活性化”過程に従って、ＲＲＣ_ＩＮＡＣＴＩＶＥからＲＲＣ_ＣＯＮＮＥＣＴＥＤに。
【０１８５】
ＲＲＣ_ＩＮＡＣＴＩＶＥ状態のＵＥは、ＲＡＮ基盤の通知領域に設定されることができ、その後：通知領域は単一又は多数のセルをカバーでき、ＣＮ領域より小さく;ＵＥは上記通知領域の境界内にある時にはいかなる“位置更新(ｌｏｃａｔｉｏｎ ｕｐｄａｔｅ)”指示も送信せず;上記通知領域から離れると、ＵＥは自分の位置をネットワークに更新する。
【０１８６】
＜ＲＲＣ_ＣＯＮＮＥＣＴＥＤにおいてＤＲＸの間にビーム維持＞
【０１８７】
本発明では、ＲＲＣ_ＣＯＮＮＥＣＴＥＤ状態のＤＲＸモードであるＵＥがビーム維持を行う方式を提案する。
【０１８８】
ＲＲＣ_ＣＯＮＮＥＣＴＥＤ状態で送信／受信データが一時的にない場合、連結を維持した状態でＵＥのバッテリー消耗を減らすためにＵＥはＤＲＸモードで動作する。ＤＲＸモードにおいてＰＤＣＣＨをモニタ／受信するアクティブ時間区間(例、“Ｏｎ Ｄｕｒａｔｉｏｎ”)と送信／受信器を非活性化(ｉｎａｃｔｉｖｅ)する時間区間(例、“潜在的非活性化”)が周期的に示される。“潜在的非活性”区間の間にもＵＥはＵＬデータが発生した場合にはスケジューリング要請(ｓｃｈｅｄｕｌｉｎｇ ｒｅｑｕｅｓｔ、ＳＲ)を送信し、ＵＬグラントを受信するためにＰＤＣＣＨをモニタする必要がある。ｍｍＷでのように、アナログビーム形成などの技術によって多重ビームを使用するシステムは、最適の送信／受信ビームを維持するためのビーム維持過程を行う。かかるビーム維持過程はビーム測定、また報告過程を含む。ビーム維持のためにＵＥはビームごとに測定ＲＳの参照信号受信電力(ｒｅｆｅｒｅｎｃｅ ｓｉｇｎａｌ ｒｅｃｅｉｖｅｄ ｐｏｗｅｒ、ＲＳＲＰ)(又はチャネル品質指示子(ｃｈａｎｎｅｌ ｑｕａｌｉｔｙ ｉｎｄｉｃａｔｏｒ、ＣＱＩ))を測定して、その結果が一定の条件を満たすと、報告のためのＳＲを送信し、回答としてＵＬチャネルが割り当てられ、割り当てられたＵＬチャネルを介してその結果を報告する。又はＵＥはビームごとに測定ＲＳを測定し、その結果を所定の周期的ＵＬチャネルを介して報告することができる。ｇＮＢはＵＥからの報告に基づいてサービングビームの変更有無を選択し、それをＵＥに知らせる。以下では、ビームごとの測定ＲＳをＭＲＳと呼ぶが、ビームごとのＲＳＲＰは同期信号(ｓｙｎｃｈｒｏｎｉｚａｔｉｏｎ ｓｉｇｎａｌ、ＳＳ)又はＣＳＩ−ＲＳを使用して行われることもできる。
【０１８９】
ＲＲＣ_ＣＯＮＮＥＣＴＥＤにおけるＤＲＸの間にビーム維持に関する本発明の提案１は、ＵＥがＲＲＣ_ＣＯＮＮＥＣＴＥＤ状態のＤＲＸモードで“Ｏｎ Ｄｕｒａｔｉｏｎ”とは関係なくビーム維持過程を行う。即ち、“潜在的非活性”区間でもＵＥはＭＲＳ送信周期に合わせて受信器を動作させてＭＲＳを測定し、必要によってその結果を報告する。本発明の提案１において、ＵＥはビーム測定結果報告のために“潜在的非活性”区間でＳＲを送信し、報告のためのＵＬグラントを受信するためにＰＤＣＣＨをモニタする。又はＵＥは“潜在的非活性”区間でも所定のＵＬチャネルを介して最適のビーム変更有無又は最適のビームに対するＲＳＲＰ(又はＣＱＩ)を報告する。ＵＥはビーム測定結果報告のための周期的なＵＬチャネルが設定された時、ＤＲＸ動作中の“潜在的非活性”区間で測定結果を報告するか否かがｇＮＢによりＵＥに予め設定される。
【０１９０】
さらに、ＤＲＸ動作中にＵＥがサービングビームとは異なるビームを最適のビームに選択して報告した場合、それに対する回答としてｇＮＢからサービングビーム変更命令が受信されるまで“潜在的非活性”区間でもＰＤＣＣＨを受信してモニタする。サービングビームの変更命令はＰＤＣＣＨを介して直接ＵＥに伝達されるか、又はＰＤＣＣＨを介してスケジューリングされるＰＤＳＣＨのＭＡＣメッセージによりＵＥに伝達される。ｇＮＢはＤＲＸ動作するように設定されたＵＥがサービングビームとは異なるビームを最適のビームに選択して報告した場合には、常に一定時間内にサービングビームをＵＥが報告したビームに変更するサービングビームの変更命令を送信する。
【０１９１】
具体的には、ＤＲＸ動作中にＵＥが所定の周期的ＵＬチャネルを介してビーム測定結果を報告する時、サービングビームの品質が一定の条件を満たす時には、ビーム測定結果の報告後に“潜在的非活性”区間の間にＰＤＣＣＨをモニタしないが、サービングビームの品質が一定の条件を満たさない場合には、ビーム測定結果の報告後に“潜在的非活性”区間の間にもサービングビーム変更命令が受信されるまでＰＤＣＣＨを受信してモニタする。一定の条件としては以下の条件が考えられる。
【０１９２】
＞ケース１：サービングビームに該当するＭＲＳの測定ＲＳＲＰが最大のＲＳＲＰを有する他のビームのＭＲＳに比べてＸｄＢ以下に落ちた場合、ここで、Ｘは予めｇＮＢによってＵＥに設定されることができる。
【０１９３】
＞ケース２：サービングビームに該当するＭＲＳの測定ＲＳＲＰが決められた臨界(ｔｈｒｅｓｈｏｌｄ)未満に落ちた場合、ここで、臨界は予めｇＮＢからＵＥに設定されることができる。
【０１９４】
ＵＥはＤＲＸの“潜在的非活性”区間にも測定結果が特定の条件を満たすと、ビーム測定結果報告のためのＵＬリソース割り当てを要請するためにＳＲを送信し、ビーム測定結果報告のためのＵＬグラントを受信するためにＰＤＣＣＨをモニタする。この時、ＳＲを送信する条件として上述したケース１又はケース２が適用される。また、どの条件を使用するか、また該当条件のパラメータ(例、Ｘ又は臨界)の設置値はＤＲＸ動作と非−ＤＲＸ動作に対して別別に設定される。
【０１９５】
ＤＲＸ動作のうち、測定報告後にＵＥがサービングビーム変更命令を受信するためにＰＤＣＣＨモニタリングを行う時間区間が指定されることができる。例えば、ＵＥがサブフレーム(ｓｕｂｆｒａｍｅ、ＳＦ)＃ｎで測定報告した場合、ＵＥはＳＦ＃ｎ＋Ｋ１からＳＦ＃ｎ＋Ｋ２までの時間区間でＰＤＣＣＨをモニタして、ｇＮＢが送信したサービングビーム命令を受信するように設定できる。ここで、Ｋ１とＫ２は予めｇＮＢからＵＥに設定される。Ｋ１とＫ２は、ＵＥがＤＲＸ動作中に使用するＫ１とＫ２の値ではない時に使用されるＫ１とＫ２の値とは異なるように設定できる。例えば、ｇＮＢのスケジューリング柔軟性(ｆｌｅｘｉｂｉｌｉｔｙ)が減少しても、ＵＥのバッテリー消耗を減らすために、ＵＥがサービングビーム命令を伴うＰＤＣＣＨの送信可能ウィンドウがＤＲＸ動作中である時には小さく設定されることができる。ＤＲＸ動作するように設定されたＵＥがビーム測定結果をＳＦ＃ｎで報告した場合、ｇＮＢはＳＦ＃ｎ＋Ｋ１からＳＦ＃ｎ＋Ｋ２までの時間区間内でサービングビーム変更命令を送信する。
【０１９６】
ＵＥが設定されたウィンドウ区間の間にサービングビームの変更命令を受信できなかった場合、ビーム測定報告を再送信することができる。設定された最大の再送信回数だけ上記ＵＥがビーム測定報告を送信したが、サービングビーム変更命令を受信できなかった場合は、ＵＥはビーム回復過程を行う。ここで、ビーム測定報告のための最大の再送信回数は、ｇＮＢが設定してシグナリングすることができる。
【０１９７】
ＲＲＣ_ＣＯＮＮＥＣＴＥＤにおけるＤＲＸの間のビーム維持に関する本発明の提案２は、ＵＥがＲＲＣ_ＣＯＮＮＥＣＴＥＤ状態のＤＲＸモードで“Ｏｎ Ｄｕｒａｔｉｏｎ”の間に送信されるＭＲＳを測定できるように“ＤＲＸサイクル”及び“Ｏｎ Ｄｕｒａｔｉｏｎ”を設定する。例えば、ＭＲＳが５ｍｓ間隔で送信されるシステムにおいて、“ＤＲＸサイクル”は５ｍｓの倍数に設定され、ＤＲＸサイクルの開始時点はＭＲＳ送信時点から何回目のスロット、或いは何ｍｓ後であるかを示すオフセットにより設定される。また“Ｏｎ Ｄｕｒａｔｉｏｎ”は全てのビームのＭＲＳ送信に所要される時間より大きく設定される。
【０１９８】
また、ビーム測定結果報告のために周期的なＵＬチャネルがＵＥに設定された場合、ＵＥがＤＲＸモードに進入すると、ＵＥは“Ｏｎ Ｄｕｒａｔｉｏｎ”区間と重なるＵＬリソースでのみ測定結果を報告するように設定される。
【０１９９】
また代案２において、ビーム測定報告のためのＳＲはデータ送信のためのＳＲとは区分され、ビーム測定報告のためのＳＲ、即ち、ビーム測定報告のためのリソース割り当て要請のためのＳＲに対する応答として送信されるＵＬグラントは、“Ｏｎ Ｄｕｒａｔｉｏｎ”の間にのみ送信されるように限定できる。即ち、提案２によれば、ＤＲＸモードでＵＥは、データ送信のためのＳＲ送信後には“潜在的非活性”区間でもＰＤＣＣＨをモニタするが、ＤＲＸモードにおいてＵＥはビーム測定報告のためのＳＲ送信後には“潜在的非活性”区間でＰＤＣＣＨをモニタしなくても良い。提案２においてｇＮＢは、特定ＵＥのサービングビーム変更命令を該当ＵＥが“Ｏｎ Ｄｕｒａｔｉｏｎ”である間に送信する。
【０２００】
＜ＤＲＸの間のビーム回復＞
【０２０１】
図９は本発明によるビーム回復過程を概略的に示す図である。
【０２０２】
以下、ＤＲＸモードのＵＥが電力消耗を最小化するためにビーム維持過程を行わないように設定された場合、ｇＮＢ又はＵＥで送信するデータが発生した時に通信のためのサービングビームを再設定する本発明のビーム回復方法を説明する。本発明によるビーム回復方法は、ＲＲＣ_ＣＯＮＮＥＣＴＥＤ状態のＤＲＸモード又はＲＲＣ_ＩＮＡＣＴＩＶＥ状態のＤＲＸモードで使用できる(Ｓ９００)。
【０２０３】
本発明はＵＥで送信するデータが発生すると(Ｓ９０３)、“ＵＥ開始ビーム回復(ＵＥ ｉｎｉｔｉａｔｅｄ ｂｅａｍ ｒｅｃｏｖｅｒｙ)”過程を開始し(Ｓ９０４)、ｇＮＢで送信するデータが発生した場合(Ｓ９０１)、“ＮＢ開始ビーム回復(ＮＢ ｉｎｉｔｉａｔｅｄ ｂｅａｍ ｒｅｃｏｖｅｒｙ)”過程を開始する(Ｓ９０２)。以下、ＵＥはＤＲＸモードで“Ｏｎ Ｄｕｒａｔｉｏｎ”とは関係なくビーム測定を行って潜在的な送信／受信のための最適のビームを常にトラッキングする。
【０２０４】
ビーム失敗とは、ＵＥが設定された全てのサービングビームと通信できない状態をいう。本発明はＵＥがサービングＤＬビームを用いた通信が全く不可能ではないが、周期的なビーム報告が不可能なＤＲＸ状態でビーム報告及びサービングビーム更新が必要であると判断される時点にＵＥ或いはｇＮＢがビーム管理をトリガーするビーム回復を提案する。ＵＥが自分に設定されたいかなるサービングビームでもｇＮＢと通信できない時、トリガーされるビーム失敗によるビーム回復過程とは異なり、本発明によるビーム回復過程では、ＵＥがＤＲＸ状態である時、ＵＥにＵＬデータが発生又はｇＮＢにＤＬデータがある時にトリガーできる。
【０２０５】
−ＵＥ開始ビーム回復
【０２０６】
ＤＲＸ状態のＵＥが送信するデータが発生した場合、利用可能なＵＬリソースがないと、ＵＥはＳＲ或いはＲＡＣＨを送信してＵＬリソースの割り当てを要請する。例えば、ＤＲＸ状態のＵＥが送信するデータは発生した場合(Ｓ９０３)、ＵＥはビーム回復のために設定されたリソース(以下、ＳＲリソース)によりＳＲを送信する(Ｓ９０４)。かかるＳＲリソースはｇＮＢのビームごとに多数個を設定でき、ＵＥはＭＲＳ測定により得た最適の受信品質を有するＭＲＳのビームに連結されているＳＲリソースによりＳＲを送信する。又はかかるＳＲリソースはｇＮＢの同期信号(ｓｙｎｃｈｒｏｎｉｚａｔｉｏｎ ｓｉｇｎａｌ、ＳＳ)ブロックごとに多数個を設定でき、ＵＥはＳＳブロックごとのＲＳＲＰ測定により得た最適の受信品質を有するＳＳブロックに連結されているＳＲリソースによりＳＲを送信する。ここで、ＳＳブロックはｇＮＢのビームごとに送信される。ｇＮＢはＳＲ受信時点にどのＳＲリソースでどのＵＥからＳＲが受信されたかを決定する。このために、ｇＮＢは予めＵＥごとに独立したＳＲリソースを割り当てることができる。ｇＮＢのビームがＭ個ある場合、ｇＮＢはＵＥごとにＭ個のＳＲリソースを割り当ててシグナリングする。ここで、ＳＲリソースは周波数、時間及びコードシーケンスにより区分できる。即ち、多数のＵＥのＳＲリソースは、周波数分割多重化(ｆｒｅｑｕｅｎｃｙ ｄｉｖｉｓｉｏｎ ｍｕｌｔｉｐｌｅｘｉｎｇ、ＦＤＭ)、時間分割多重化(ｔｉｍｅ ｄｉｖｉｓｉｏｎ ｍｕｌｔｉｐｌｅｘｉｎｇ、ＴＤＭ)、及びコード分割多重化(ｃｏｄｅ ｄｉｖｉｓｉｏｎ ｍｕｌｔｉｐｌｅｘｉｎｇ、ＣＤＭ)されて互いに区分される。ｇＮＢはＳＲを送信したＵＥがＵＥに割り当てられたＭ個のＳＲリソースのうち、どのリソースでＳＲを送信したかによって、ＵＥがどのビームを最適のビームに報告したかを判断することができる。ｇＮＢはＵＥが報告した情報に基づいてＵＥのためのビーム方向を決定し、決定されたビーム方向にＵＥにＵＬグラントを送って、ＵＥをして具体的なビーム状態報告及び／又はバッファー状態報告を行うようにする。ここで、ＳＲを運ぶＵＬ ＳＲチャネルは、任意接続チャネル(ｒａｎｄｏｍ ａｃｃｅｓｓ ｃｈａｎｎｅｌ、ＲＡＣＨ)と呼ばれる。特にｇＮＢは競争フリーＲＡＣＨリソースをＵＥに割り当てて、ＵＥのＤＲＸモードでＵＥにより送信するデータが発生した場合、ＵＥがビーム回復を試みたことを知らせるために競争フリーＲＡＣＨリソースを使用できるようにする。かかる目的のＲＡＣＨリソースは、初期接続又はハンドオーバーのために使用されるＲＡＣＨリソースとは区分して設定される。またＤＲＸモードで送信するデータが発生してビーム回復を試みたことを知らせるためにＲＡＣＨリソースを使用する場合、ＵＥはＵＬ同期化された(ｓｙｎｃｈｒｏｎｉｚｅｄ)送信のために、今まで累積されたタイミングアドバンス値適用してＲＡＣＨを送信する。多重ビームが使用される環境／セルでＵＥが大きく移動しない場合、以前に適用したタイミングアドバンス値が有効であるためである。ＵＥの各々の累積されたタイミングアドバンス値を使用すると、同じ無線リソースにより多いＲＡＣＨリソースを割り当てることができる。これは一般��に初期接続又はハンドオーバーのためにＲＡＣＨを送信する時にタイミングアドバンス値を０にセットしてＲＡＣＨを送信することとは対比される。
【０２０７】
ＤＲＸモードで送信するデータがＵＥで発生してビーム回復を試みたことを知らせるために使用されるＳＲ又は競争フリーＲＡＣＨリソースは、ビーム失敗の状況においてビーム回復のために使用されることもできる。例えば、ＵＥにはＤＲＸモード設定とは関係なく、ビーム回復のためのＳＲ又は競争フリーＲＡＣＨリソースが割り当てられることができる。ＵＥはこのように設定されたリソースを、非ＤＲＸ(ｎｏｎ−ＤＲＸ)モードではビーム失敗の状況においてビーム回復のために使用し、ＤＲＸモードでは送信するデータが発生してビーム回復が必要であることを知らせるために使用する。
【０２０８】
ＵＥがＳＲ又は競争フリーＲＡＣＨを介したビーム回復を所定回数に試みたが、それに対する応答をｇＮＢから得られなかった場合、ＵＥは該当セルに再度接続するために、競争−基盤の送信を行うことができる。ここで、ビーム回復のためのＳＲ又は競争フリーＲＡＣＨの最大送信回数は、ｇＮＢによりＵＥに予め設定される。
【０２０９】
本発明において、ＳＲチャネルはＣＰ長さ及びＯＦＤＭシンボル長さによって２つのタイプに区分される。タイプＩのＳＲチャネルは、ＰＵＣＣＨ／ＰＵＳＣＨと同じＣＰ長さ及びＯＦＤＭシンボル長さを有するタイプで定義される。かかるタイプＩのＳＲチャネルは、ＰＵＣＣＨ又はＰＵＳＣＨとＦＤＭされて送信されことができる。タイプＩＩのＳＲチャネルは、ＲＡＣＨと同じＣＰ長さ及びＯＦＤＭシンボル長さを有するタイプで定義される。かかるタイプＩＩのＳＲチャネルは、ＲＡＣＨとＦＤＭされて送信されることができる。タイプＩＩのＳＲチャネルは、上述した競争フリーＲＡＣＨと同一であることができる。ｇＮＢはＳＲチャネルをＵＥに割り当てる時、どのタイプのＳＲチャネルであるかをＵＥに指定することができる。又はＵＥに２つのタイプのＳＲチャネルを全て設定することができる。２つのタイプのＳＲチャネルが全て設定されたＵＥは、ビーム回復を決定した時点にどのタイプであっても最も早い時点のＳＲリソースを使用してビーム回復を開始する。
【０２１０】
−ＮＢ開始ビーム回復
【０２１１】
ｇＮＢがＤＲＸ状態であるＵＥに送信するデータが発生した場合(Ｓ９０１)、サービングビームの再設定を要請するメッセージ又は指示子をターゲットＵＥが“Ｏｎ Ｄｕｒａｔｉｏｎ”にある時間区間の間に全てのビーム方向にビームスイーピングして送信する(Ｓ９０２)。ｇＮＢがビームスイーピング方式で信号を送信できるようにするために、送信リソースは時間軸で多数のサブ−リソースに区分され、ｇＮＢが所定の順序に従って各サブ−リソースで送信ビーム方向を変わることができる。ｇＮＢはデータを受けるターゲットＵＥがどのビーム方向に位置しているかを分からないので、全てのビーム方向にターゲットＵＥのためのページングメッセージ又は指示子を送信する。具体的には、ｇＮＢは以下の方法を使用してページングメッセージ又は指示子を送信する。
【０２１２】
＞専用(ｄｅｄｉｃａｔｅｄ)ＰＤＣＣＨ：ターゲットＵＥのＣ−ＲＮＴＩを含むＰＤＣＣＨをビームスイーピング方式で送信。
【０２１３】
＞グループ特定のＰＤＣＣＨメッセージ：特定のＲＮＴＩの下りリンク制御情報(ｄｏｗｎｌｉｎｋ ｃｏｎｔｒｏｌ ｉｎｆｏｒｍａｔｉｏｎ、ＤＣＩ)の特定位置のビットフィールドが(ｇＮＢにより)ＵＥに予め割り当てられる。ＵＥは自分に割り当てられたフィールドのフラグが可能になった(ｅｎａｂｌｅ)指定ＤＣＩを受信すると、ＵＥがページングされたと判断する。
【０２１４】
＞専用シーケンスの送信：(ｇＮＢにより)ＵＥに予めシーケンス及び該当シーケンスが送信された時間及び周波数リソースが割り当てられる。ＵＥは指定されたリソースで指定されたシーケンスが検出されると、自分がページングされたと判断する。
【０２１５】
ｇＮＢはかかるページングメッセージ又は指示子がＵＥに“Ｏｎ Ｄｕｒａｔｉｏｎ”のどの時点にどのビーム順にスイーピングされて送信されるかを予め知らせることができる。例えば、ｇＮＢはページングメッセージ又は指示子の送信リソースを多数のサブ−リソースに区分し、各サブ−リソースで送信ビーム方向がどのＭＲＳの送信ビーム方向と同一であるかをＵＥに予め知らせることができる。又はｇＮＢはＭＲＳリソースにおけるビームスイーピング順と同様に、ページングメッセージ又は指示子送信リソースでビームスイーピングを行うことができる。ＤＲＸモードのＵＥはＭＲＳを周期的に測定して常に最適の送信／受信ビームを追跡し、“Ｏｎ Ｄｕｒａｔｉｏｎ”区間に最適のＴｘビームに該当するサブ−リソースでページングメッセージ又は指示子の検出を試みてｇＮＢが自分をページングしたか否かを判定することができる。
【０２１６】
ｇＮＢはページングメッセージ又は指示子のための送信リソースの周期及びオフセット設定により“ＤＲＸサイクル”及び“Ｏｎ Ｄｕｒａｔｉｏｎ”設定を代替することができる。即ち、ＤＲＸモードのＵＥはページングメッセージ又は指示子の送信リソースでのみ下りリンク信号の受信を試みるように設定できる。
【０２１７】
ページングされたＵＥ、即ち、自分に対するページングメッセージ或いは指示子を受信したＵＥ(Ｓ９０２)は、“ＵＥ開始ビーム回復”過程を開始して(Ｓ９０４)、ｇＮＢをしてｇＮＢが送信したページングメッセージ或いは指示子のターゲットＵＥがどのビーム方向に位置しているかを把握するようにする。ページングを受信したＵＥが最適のビーム方向に連結されたＳＲ／ＲＡＣＨリソースにＳＲ／ＲＡＣＨを送信すると、ｇＮＢはＳＲ／ＲＡＣＨが検出されたＳＲ／ＲＡＣＨリソースに対応するビーム方向をＵＥが最適のビームとして判断したことを分かるためである。ｇＮＢはＵＥがＳＲ／ＲＡＣＨ送信に使用したＳＲ／ＲＡＣＨリソースに基づいて決定されたビーム方向に該当ＵＥにＵＬグラントを送って具体的なビーム状態を報告するようにする。ｇＮＢはＵＥからのビーム状態報告に基づいて微細調整(ｒｅｆｉｎｅ)されたビームにＤＬデータ送信を開始する。
【０２１８】
ページングされたＵＥには、ＳＲ又は競争フリーＲＡＣＨを介した“ＵＥ開始ビーム回復”を行うか又は競争基盤のＲＡＣＨを介した“ＵＥ開始ビーム回復”を行うかが予めｇＮＢから指定される。又はＵＥにかかる２つのリソースが全て設定され、両方のうち、早い時点に設定されたＵＬリソースを“ＵＥ開始ビーム回復”のために使用することもできる。
【０２１９】
＜ＲＲＣ_ＣＯＮＮＥＣＴＥＤにおいてＤＲＸの間にビーム領域を維持＞
【０２２０】
ＤＲＸの間にサービングビームを最適にトラッキングする場合(＜ＲＲＣ_ＣＯＮＮＥＣＴＥＤにおいてＤＲＸの間にビーム維持＞を参照)、ＵＥの電力節約効果が落ちることがある。またサービングビームを維持していないＤＲＸの間にＤＬデータが発生し、ｇＮＢがページングメッセージ又は指示子を送信する場合には(“ＮＢ開始ビーム回復”を参照)、ＤＬオーバーヘッドが増加するという負担がある。従って、以下では、ＤＲＸの間に概略的なＵＥの位置をネットワークがトラッキングする方法を提案する。
【０２２１】
ＤＲＸ動作中のＵＥには、ｇＮＢは最後に指定したサービングビームと該当サービングビームを中心として隣のビームグループが指定／設定される。ＵＥは測定結果が特定条件を満たすと、ビーム測定結果報告のためにＳＲを送信し、ビーム測定結果報告のためのＵＬグラントを受信するためにＰＤＣＣＨをモニタする。この時、ＵＥがＳＲを送信する条件として以下のものが適用される。
【０２２２】
＞ケース１：ＵＥが最後に指定されたサービングビーム及び隣のビームグループに属するビームに該当するＭＲＳの測定ＲＳＲＰの最大値がそれ以外の残りの他のビームに該当するＭＲＳの測定ＲＳＲＰの最大値に比べてＸｄＢ以下に落ちる場合、ここで、Ｘは予めｇＮＢから設定されることができる。
【０２２３】
＞ケース２：ＵＥが最後に指定されたサービングビーム及び隣のビームグループ内の各ビームに該当するＭＲＳの測定ＲＳＲＰがいずれも所定の臨界値(ｔｈｒｅｓｈｏｌｄ)未満に落ちる場合、ここで、臨界は予めｇＮＢから設定されることができる。
【０２２４】
ここで、各サービングビームに対する隣のビームグループに関する情報は、予めシステム情報としてｇＮＢによりＵＥに通知されることができる。又はｇＮＢがサービングビームを指定する時に個々にＵＥに隣のビームグループに関する情報を指定することができる。
【０２２５】
ｇＮＢはターゲットＵＥをページングするために該当ＵＥに最後に指定したサービングビーム及び隣のビームグループに属するビーム方向のみに限定してページングメッセージ又は指示子を送信する。
【０２２６】
本発明において、ビームグループは分離されて(ｄｉｓｊｏｉｎｔ)設定(即ち、ビームグループが重複するビームを有さないように設定)されるか、又は重複するように設定することができる。ビームグループが分離されて設定される場合、“サービングビーム及び隣のビームグループ”はサービングビームが属するビームグループで表現できる。ｇＮＢはかかるビームグループで同時に単一周波数ネットワーク(Ｓｉｎｇｌｅ ｆｒｅｑｕｅｎｃｙ ｎｅｔｗｏｒｋ、ＳＦＮ)ＭＲＳ(ＳＦＮ−ＭＲＳ)を送信して、ＵＥが容易にビームグループごとに受信品質をＳＦＮ−ＭＲＳの測定結果から分かるようにすることができる。ｇＮＢがビームグループでＳＦＮ−ＭＲＳを送信するとは、ビームグループ内の全てのビームで同時に同じＭＲＳを送信することを意味する。ＵＥは多数のビームからの信号受信に基づいて代表受信品質を得ることができる。
【０２２７】
ｇＮＢはビームグループ内の全てのビームで同時にＳＳブロックを送信することができる。ｇＮＢが各ビームグループごとに同時にＳＳブロックを送信し、ＵＥが各ＳＳブロック内のＳＳ(例、ＳＳＳ)の受信ＲＳＲＰから各ビームグループの受信品質を測定できるようにすることができる。ＵＥは、ＤＲＸモードではＳＳブロックによる広いビームレベルのビーム管理のみを行い、非ＤＲＸモードではＳＳブロックによる広いビームレベルのビーム管理とＣＳＩ−ＲＳによる狭いビームレベルのビーム管理(例、ＣＳＩ−ＲＳに基づくビームごとの受信品質測定)を同時に行う。
【０２２８】
図１０は、本発明を実行する送信装置１０及び受信装置２０の構成要素を示すブロック図である。
【０２２９】
送信装置１０及び受信装置２０は、情報及び／又はデータ、信号、メッセージなどを搬送する無線信号を送受信できるＲＦユニット１３，２３と、無線通信システム内における通信に関連した各種情報を記憶するメモリ１２，２２と、上記ＲＦユニット１３，２３及びメモリ１２，２２などの構成要素と動作的に連結され、これらの構成要素を制御して該当装置が前述した本発明の実施例の少なくとも１つを行うようにメモリ１２，２２及び／又はＲＦユニット１３，２３を制御するように構成されたプロセッサ１１，２１とをそれぞれ備える。
【０２３０】
メモリ１２，２２は、プロセッサ１１，２１の処理及び制御のためのプログラムを格納することができ、入／出力される情報を臨時記憶する。メモリ１２，２２をバッファーとして活用することができる。
【０２３１】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ(ｃｏｎｔｒｏｌｌｅｒ)、マイクロコントローラ(ｍｉｃｒｏｃｏｎｔｒｏｌｌｅｒ)、マイクロプロセッサ(ｍｉｃｒｏｐｒｏｃｅｓｓｏｒ)、マイクロコンピュータ(ｍｉｃｒｏｃｏｍｐｕｔｅｒ)などとも呼ばれる。プロセッサ１１，２１は、ハードウェア(ｈａｒｄｗａｒｅ)、ファームウェア(ｆｉｒｍｗａｒｅ)、ソフトウェア、又はそれらの結合によって具現することができる。ハードウェアを用いて本発明を具現する場合、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などをプロセッサ１１,２１に具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０２３２】
送信装置１０のプロセッサ１１は、プロセッサ１１又はプロセッサ１１と接続されたスケジューラからスケジュールされて外部に送信される信号及び／又はデータに対して所定のコーディング(ｃｏｄｉｎｇ)及び変調(ｍｏｄｕｌａｔｉｏｎ)を行った後にＲＦユニット１３に送信する。例えば、プロセッサ１１は、送信しようとするデータ列を逆多重化及びチャネルコーディング、スクランブリング、変調過程などを経てＫ個のレイヤに変換する。コーディングされたデータ列はコードワードとも呼ばれ、ＭＡＣ階層が提供するデータブロックである送信ブロックと等価である。１送信ブロック(ｔｒａｎｓｐｏｒｔ ｂｌｏｃｋ，ＴＢ)は１コードワードに符号化され、各々のコードワードは１つ以上のレイヤ形態で受信装置に送信される。周波数アップコンバートのためにＲＦユニット１３はオシレーター(ｏｓｃｉｌｌａｔｏｒ)を備えることができる。ＲＦユニット１３は、Ｎｔ個(Ｎｔは１以上の正の整数)の送信アンテナを有することができる。
【０２３３】
受信装置２０の信号処理過程は、送信装置１０の信号処理過程の逆に構成される。プロセッサ２１の制御下で受信装置２０のＲＦユニット２３は送信装置１０によって送信された無線信号を受信する。ＲＦユニット２３はＮｒ個の受信アンテナを有することができ、ＲＦユニット２３は受信アンテナで受信した信号のそれぞれを周波数ダウンコンバート(ｆｒｅｑｕｅｎｃｙ ｄｏｗｎ−ｃｏｎｖｅｒｔ)して基底帯域信号に復元する。ＲＦユニット２３は周波数ダウンコンバートのためにオシレーターを備えることができる。プロセッサ２１は受信アンテナで受信した無線信号に対する復号(ｄｅｃｏｄｉｎｇ)及び復調(ｄｅｍｏｄｕｌａｔｉｏｎ)を行い、送信装置１０が本来送信しようとするデータを復元することができる。
【０２３４】
ＲＦユニット１３，２３は１つ以上のアンテナを具備する。アンテナはプロセッサ１１，２１の制御下で本発明の一実施例によってＲＦユニット１３，２３によって処理された信号を外部に送信したり、外部から無線信号を受信してＲＦユニット１３，２３に伝達する機能を果たす。アンテナはアンテナポートとも呼ばれる。各アンテナは１つの物理アンテナに該当してもよく、１つよりも多い物理アンテナ要素(ｅｌｅｍｅｎｔ)の組合せによって構成されてもよい。各アンテナから送信された信号は受信装置２０でそれ以上分解することができない。該当アンテナに対応して送信された参照信号(ｒｅｆｅｒｅｎｃｅ ｓｉｇｎａｌ、ＲＳ)は受信装置２０の観点で見たアンテナを定義し、チャネルが１つの物理アンテナからの単一(ｓｉｎｇｌｅ)無線チャネルであるか、或いは上記アンテナを含む複数の物理アンテナ要素(ｅｌｅｍｅｎｔ)からの合成(ｃｏｍｐｏｓｉｔｅ)チャネルであるかに関係なく、受信装置２０にとってアンテナに対するチャネル推定を可能にする。即ち、アンテナは、該アンテナ上のシンボルを伝達するチャネルが上記同一アンテナ上の他のシンボルが伝達される上記チャネルから導出されうるように定義される。複数のアンテナを用いてデータを送受信する多重入出力(Ｍｕｌｔｉ−Ｉｎｐｕｔ Ｍｕｌｔｉ−Ｏｕｔｐｕｔ、ＭＩＭＯ)機能を支援するＲＦユニットの場合、２個以上のアンテナと接続することができる。
【０２３５】
本発明において、ＲＦユニット１３，２３は受信ビーム形成と送信ビーム形成を支援できる。例えば、本発明において、ＲＦユニット１３，２３は図５に示した機能を行うように構成される。
【０２３６】
本発明の実施例において、ＵＥは、上りリンクでは送信装置１０として動作し、下りリンクでは受信装置２０として動作する。本発明の実施例において、ｇＮＢは、上りリンクでは受信装置２０として動作し、下りリンクでは送信装置１０として動作する。以下、ＵＥに具備されたプロセッサ、ＲＦユニット及びメモリをＵＥプロセッサ、ＵＥ ＲＦユニット及びＵＥメモリとそれぞれ称し、ｇＮＢに具備されたプロセッサ、ＲＦユニット及びメモリをｇＮＢプロセッサ、ｇＮＢ ＲＦユニット及びｇＮＢメモリとそれぞれ称する。
【０２３７】
本発明のＵＥプロセッサは、本発明の提案１又は提案２によってビーム維持を行うように構成される。ＵＥプロセッサはＵＥ ＲＦユニットを制御してビーム維持のための測定を行う。
【０２３８】
本発明のＵＥプロセッサは、本発明の提案によってビーム回復過程を行う。ＵＥプロセッサは、ＵＥ ＲＦユニットを制御してビーム回復過程に連関するＳＲリソース又はＲＡＣＨリソースに関する設定情報を受信し、ビーム回復過程の開始時に上記設定情報に基づいてＳＲ／ＲＡＣＨリソースでＳＲ／ＲＡＣＨを送信するようにＵＥ ＲＦユニットを制御する。本発明のｇＮＢプロセッサは、ｇＮＢにＵＥに送信するＤＬデータが生じると、ＵＥにページングを送信するようにｇＮＢ ＲＦユニットを制御する。ＵＥプロセッサは、ＵＥに対するページングを受信すると、本発明の“ＵＥ開始ビーム回復”過程によってビーム回復過程を開始する。
【０２３９】
本発明のＵＥプロセッサとｇＮＢプロセッサは各々、本発明によってビーム領域維持を行うようにＵＥ ＲＦユニットとｇＮＢ ＲＦユニットを制御する。
【０２４０】
以上の本発明の好適な実施形態についての詳細な説明は、当業者が本発明を具現して実施できるように提供された。以上では本発明の好適な実施形態に挙げて本発明を説明したが、該当技術分野における熟練した当業者には、添付の特許請求の範囲に記載された本発明の思想及び領域を逸脱しない範囲内で、本発明を様々に修正及び変更できるということは明らかである。したがって、本発明は、具体的な実施形態に制限されるものではなく、ここに開示された原理及び新規の特徴と一致する最も広い範囲を有するものである。
【産業上の利用可能性】
【０２４１】
本発明の実施例は、無線通信システムにおいて、基地局、ユーザ器機又はその他の装備に用いることができる。
【図１】
0006916893.tif 000005
【図２】
0006916893.tif 000006
【図３】
0006916893.tif 000007
【図４】
0006916893.tif 000008
【図５】
0006916893.tif 000009
【図６】
0006916893.tif 000010
【図７】
0006916893.tif 000011
【図８】
0006916893.tif 000012
【図９】
0006916893.tif 000013
【図１０】
0006916893.tif 000014